(57)【要約】【課題】複数人が共同して利用する預貯金口座における出金を一元管理することができる。【解決手段】複数の利用者が共有する口座ごとに、当該口座の利用者の認証に用いる複数のカードのカード情報を関連付けて記憶するデータベースを備え、第１の利用者からの要求情報を受信し、要求情報をデータベースに記憶し、第２の利用者からの要求情報に対する応答結果に関する情報を受信し、応答結果に関する情報をデータベースに記憶し、第１の利用者からの第１の確認情報を受信し、データベースに記憶されている応答結果に関する情報に、出金許可情報が含まれている場合、応答結果に関する情報に基づいて、出金指示情報を第１の現金取引装置に送信するサーバ装置１１０を構成した。【選択図】図６
2015162131.tif 000002
【特許請求の範囲】
【請求項１】
複数の利用者が共有する口座ごとに、当該口座の利用者の認証に用いる複数のカードのカード情報を関連付けて記憶するデータベースと、
第１の現金取引装置から、前記複数のカードのうちの第１のカードに関する情報、前記複数のカードのうち前記第１のカードとは異なる第２のカードに関する情報および金額に関する情報を含む、出金の要求を示す要求情報を受信する要求情報受信手段と、
前記要求情報受信手段が受信した前記要求情報を前記口座に関連付けて前記データベースに記憶するデータベース更新手段と、
第２の現金取引装置から、前記要求情報に基づく出金の要求に対する出金の許可または拒否を示す出金許可情報を含む応答結果に関する情報を受信する応答情報受信手段と、
を備え、
前記データベース更新手段は、前記応答情報受信手段が受信した前記応答結果に関する情報を前記口座に関連付けて前記データベースに記憶し、
さらに、
前記第１の現金取引装置から、前記要求情報受信手段が受信した要求情報に対応する応答結果の確認を要求する情報を含む第１の確認情報を受信する確認情報受信手段と、
前記確認情報受信手段が前記第１の確認情報を受信した場合、前記口座に関連付けて前記データベースに記憶されている前記応答結果に関する情報に、前記出金許可情報が含まれているか否かを判断する応答情報判断手段と、
前記応答情報判断手段が前記出金許可情報が含まれていると判断した場合、前記応答結果に関する情報に基づいて、出金が許可された金額の現金を前記第１の現金取引装置から出金させる出金指示情報を前記第１の現金取引装置に送信する指示情報送信手段と、
を備えることを特徴とするサーバ装置。
【請求項２】
前記確認情報受信手段は、前記第２の現金取引装置から、前記第２のカードに関する情報、および、前記データベースにおいて当該第２のカードに関する情報に関連づけられた要求情報の確認を要求する情報を含む第２の確認情報を受信し、
前記確認情報受信手段が前記第２の確認情報を受信した場合、前記データベースを参照して、受信した第２の確認情報に含まれる前記第２のカードに関する情報に関連づけられた要求情報が含まれているか否かを判断する要求情報判断手段と、
前記要求情報判断手段が前記第２のカードに関する情報に関連づけられた要求情報が含まれていると判断した場合、当該要求情報を前記第２の現金取引装置に送信する要求情報送信手段と、
を備えることを特徴とする請求項１に記載のサーバ装置。
【請求項３】
前記応答情報受信手段は、前記要求情報に含まれる前記金額に関する情報に対する金額変更に関する情報を受信し、
前記データベース更新手段は、前記金額変更に関する情報を前記応答結果に関する情報に関連付けて前記データベースに記憶し、
前記指示情報送信手段は、前記応答情報判断手段が前記出金許可情報が含まれていると判断した場合、前記応答結果に関する情報に基づいて、前記金額変更に関する情報に応じた出金指示情報を前記第１の現金取引装置に送信することを特徴とする請求項１または２に記載のサーバ装置。
【請求項４】
前記応答情報受信手段は、応答結果の有効期間に関する情報を受信し、
前記データベース更新手段は、前記応答結果の有効期間に関する情報を前記応答結果に関する情報に関連付けて前記データベースに記憶し、
前記データベースに記憶されている前記応答結果の有効期間に関する情報に基づいて、前記確認情報受信手段が前記応答結果の有効期間内に前記第１の確認情報を受信したか否かを判断する有効期間判断手段を備え、
前記指示情報送信手段は、前記有効期間判断手段が前記応答結果の有効期間内に前記第１の確認情報を受信したと判断し、かつ前記応答情報判断手段が前記出金許可情報が含まれていると判断した場合、前記応答結果に関する情報に基づいて、前記出金指示情報を前記第１の現金取引装置に送信することを特徴とする請求項１〜３のいずれか一つに記載のサーバ装置。
【請求項５】
前記指示情報送信手段は、前記要求情報受信手段が前記要求情報を受信した場合、前記要求情報受信手段が受信した前記要求情報に対応する応答結果の受信待ちに関する情報を前記第１の現金取引装置に送信することを特徴とする請求項１〜４のいずれか一つに記載のサーバ装置。
【請求項６】
複数の利用者が共有する口座ごとに、当該口座の利用者の認証に用いる複数のカードのカード情報を関連付けて記憶するデータベースと、
第２の現金取引装置から、前記複数のカードのうちの第２のカードに関する情報、前記複数のカードのうち前記第２のカードとは異なる第１のカードに関する情報および金額に関する情報を含む、出金の許可を示す出金許可情報を受信する応答情報受信手段と、
前記応答情報受信手段が前記出金許可情報を受信した場合、前記出金許可情報を前記口座に関連付けて前記データベースに記憶するデータベース更新手段と、
第１の現金取引装置から、前記応答情報受信手段が受信した出金許可情報の確認を要求する情報を含む確認情報を受信する確認情報受信手段と、
前記確認情報受信手段が前記確認情報を受信した場合、前記口座に関連付けて記憶された前記データベースに前記出金許可情報が含まれているか否かを判断する応答情報判断手段と、
前記応答情報判断手段が前記データベースに前記出金許可情報が含まれていると判断した場合、前記出金許可情報を前記第１の現金取引装置に送信する応答情報送信手段と、
前記第１の現金取引装置から、前記出金許可情報に基づく出金の許可に対する要求情報を受信する要求情報受信手段と、
前記要求情報受信手段が前記要求情報を受信した場合、出金が許可された金額の現金を前記第１の現金取引装置から出金させる出金指示情報を前記第１の現金取引装置に送信する指示情報送信手段と、
を備えることを特徴とするサーバ装置。
【請求項７】
前記第１の現金取引装置および前記第２の現金取引装置は、同一店舗に設置されていることを特徴とする請求項１〜６のいずれか一つに記載のサーバ装置。
【請求項８】
前記第１の現金取引装置および前記第２の現金取引装置は、それぞれ異なる店舗に設置されていることを特徴とする請求項１〜６のいずれか一つに記載のサーバ装置。
【発明の詳細な説明】
【技術分野】
【０００１】
この発明は、サーバ装置に関する。
【背景技術】
【０００２】
従来、銀行などの金融機関での取引における本人確認に際して用いるキャッシュカードなどのカードを、一つの預貯金口座に対して複数枚発行して、各カードを所有する利用者が個々に現金の引き出しをおこなうことができるようにした技術があった。関連する技術として、従来、たとえば、銀行などの金融機関の同一名義の預貯金口座に対応するカードの偽造や変造を防止する技術があった（たとえば、下記特許文献１を参照。）。
【先行技術文献】
【特許文献】
【０００３】
【特許文献１】国際公開第２００４／０７９６４１号公報
【発明の概要】
【発明が解決しようとする課題】
【０００４】
しかしながら、上述した従来の技術は、一つの預貯金口座に対して複数枚発行されている各カードを用いてそれぞれ現金の引き出しができることから、たとえば、一方のカードを所有する利用者が知らない状態で、他方のカードを所有する利用者が現金を自由に引き出すことができる。このため、複数人が共同して利用する預貯金口座における出金を一元管理することが難しいという問題があった。
【０００５】
また、上述した従来の技術は、一つの預貯金口座に対して複数のカードが発行されているため、たとえば、当該一つの預貯金口座に対する取引が許可された正規の利用者以外の悪意の第三者によって、偽造または変造したカードを用いて当該預貯金口座が不正に利用されても、その不正に気づきにくいという問題があった。上述した特許文献１に記載された従来の技術は、カードの偽造や変造を防止したとしても、カードを紛失した場合など、カードを拾った他人に悪用されてしまうという問題があった。
【０００６】
この発明は、上述した従来技術による問題点を解消するため、複数人が共同して利用する預貯金口座における出金を一元管理することができるサーバ装置を提供することを目的とする。この発明は、上述した従来技術による問題点を解消するため、セキュリティ性の高い現金出納システムを運用するサーバ装置を提供することを目的とする。
【課題を解決するための手段】
【０００７】
上述した課題を解決し、目的を達成するため、この発明にかかるサーバ装置は、複数の利用者が共有する口座ごとに、当該口座の利用者の認証に用いる複数のカードのカード情報を関連付けて記憶するデータベースと、第１の現金取引装置から、前記複数のカードのうちの第１のカードに関する情報、前記複数のカードのうち前記第１のカードとは異なる第２のカードに関する情報および金額に関する情報を含む、出金の要求を示す要求情報を受信する要求情報受信手段と、前記要求情報受信手段が受信した前記要求情報を前記口座に関連付けて前記データベースに記憶するデータベース更新手段と、第２の現金取引装置から、前記要求情報に基づく出金の要求に対する出金の許可または拒否を示す出金許可情報を含む応答結果に関する情報を受信する応答情報受信手段と、を備え、前記データベース更新手段が、前記応答情報受信手段が受信した前記応答結果に関する情報を前記口座に関連付けて前記データベースに記憶し、さらに、前記第１の現金取引装置から、前記要求情報受信手段が受信した要求情報に対応する応答結果の確認を要求する情報を含む第１の確認情報を受信する確認情報受信手段と、前記確認情報受信手段が前記第１の確認情報を受信した場合、前記口座に関連付けて前記データベースに記憶されている前記応答結果に関する情報に、前記出金許可情報が含まれているか否かを判断する応答情報判断手段と、前記応答情報判断手段が前記出金許可情報が含まれていると判断した場合、前記応答結果に関する情報に基づいて、出金が許可された金額の現金を前記第１の現金取引装置から出金させる出金指示情報を前記第１の現金取引装置に送信する指示情報送信手段と、を備えることを特徴とする。
【０００８】
また、この発明にかかるサーバ装置は、上記の発明において、前記確認情報受信手段が、前記第２の現金取引装置から、前記第２のカードに関する情報、および、前記データベースにおいて当該第２のカードに関する情報に関連づけられた要求情報の確認を要求する情報を含む第２の確認情報を受信し、前記確認情報受信手段が前記第２の確認情報を受信した場合、前記データベースを参照して、受信した第２の確認情報に含まれる前記第２のカードに関する情報に関連づけられた要求情報が含まれているか否かを判断する要求情報判断手段と、前記要求情報判断手段が前記第２のカードに関する情報に関連づけられた要求情報が含まれていると判断した場合、当該要求情報を前記第２の現金取引装置に送信する要求情報送信手段と、を備えることを特徴とする。
【０００９】
また、この発明にかかるサーバ装置は、上記の発明において、前記応答情報受信手段が、前記要求情報に含まれる前記金額に関する情報に対する金額変更に関する情報を受信し、前記データベース更新手段が、前記金額変更に関する情報を前記応答結果に関する情報に関連付けて前記データベースに記憶し、前記指示情報送信手段が、前記応答情報判断手段が前記出金許可情報が含まれていると判断した場合、前記応答結果に関する情報に基づいて、前記金額変更に関する情報に応じた出金指示情報を前記第１の現金取引装置に送信することを特徴とする。
【００１０】
また、この発明にかかるサーバ装置は、上記の発明において、前記応答情報受信手段が、応答結果の有効期間に関する情報を受信し、前記データベース更新手段が、前記応答結果の有効期間に関する情報を前記応答結果に関する情報に関連付けて前記データベースに記憶し、前記データベースに記憶されている前記応答結果の有効期間に関する情報に基づいて、前記確認情報受信手段が前記応答結果の有効期間内に前記第１の確認情報を受信したか否かを判断する有効期間判断手段を備え、前記指示情報送信手段が、前記有効期間判断手段が前記応答結果の有効期間内に前記第１の確認情報を受信したと判断し、かつ前記応答情報判断手段が前記出金許可情報が含まれていると判断した場合、前記応答結果に関する情報に基づいて、前記出金指示情報を前記第１の現金取引装置に送信することを特徴とする。
【００１１】
また、この発明にかかるサーバ装置は、上記の発明において、前記指示情報送信手段が、前記要求情報受信手段が前記要求情報を受信した場合、前記要求情報受信手段が受信した前記要求情報に対応する応答結果の受信待ちに関する情報を前記第１の現金取引装置に送信することを特徴とする。
【００１２】
また、この発明にかかるサーバ装置は、複数の利用者が共有する口座ごとに、当該口座の利用者の認証に用いる複数のカードのカード情報を関連付けて記憶するデータベースと、第２の現金取引装置から、前記複数のカードのうちの第２のカードに関する情報、前記複数のカードのうち前記第２のカードとは異なる第１のカードに関する情報および金額に関する情報を含む、出金の許可を示す出金許可情報を受信する応答情報受信手段と、前記応答情報受信手段が前記出金許可情報を受信した場合、前記出金許可情報を前記口座に関連付けて前記データベースに記憶するデータベース更新手段と、第１の現金取引装置から、前記応答情報受信手段が受信した出金許可情報の確認を要求する情報を含む確認情報を受信する確認情報受信手段と、前記確認情報受信手段が前記確認情報を受信した場合、前記口座に関連付けて記憶された前記データベースに前記出金許可情報が含まれているか否かを判断する応答情報判断手段と、前記応答情報判断手段が前記データベースに前記出金許可情報が含まれていると判断した場合、前記出金許可情報を前記第１の現金取引装置に送信する応答情報送信手段と、前記第１の現金取引装置から、前記出金許可情報基づく出金の許可に対する要求情報を受信する要求情報受信手段と、前記要求情報受信手段が前記要求情報を受信した場合、出金が許可された金額の現金を前記第１の現金取引装置から出金させる出金指示情報を前記第１の現金取引装置に送信する指示情報送信手段と、を備えることを特徴とする。
【００１３】
また、この発明にかかるサーバ装置は、上記の発明において、前記第１の現金取引装置および前記第２の現金取引装置が、同一店舗に設置されていることを特徴とする。
【００１４】
また、この発明にかかるサーバ装置は、上記の発明において、前記第１の現金取引装置および前記第２の現金取引装置が、それぞれ異なる店舗に設置されていることを特徴とする。
【発明の効果】
【００１５】
この発明にかかるサーバ装置によれば、複数人が共同して利用する預貯金口座における出金を一元管理することができるという効果を奏する。この発明にかかるサーバ装置によれば、セキュリティ性の高い現金出納システムを運用するサーバ装置を提供することができるという効果を奏する。
【図面の簡単な説明】
【００１６】
【図１】この発明にかかる実施の形態１のサーバ装置を含む現金出納システムのシステム構成を示す説明図である。
【図２−１】この発明にかかる実施の形態１の現金出納システムを構成するサーバ装置を実現するコンピュータ装置のハードウエア構成を示す説明図である。
【図２−２】この発明にかかる実施の形態１の現金出納システムを構成するＡＴＭのハードウエア構成を示す説明図である。
【図２−３】この発明にかかる実施の形態１の現金出納システムを構成する利用者の端末装置を実現するコンピュータ装置のハードウエア構成を示す説明図である。
【図３−１】口座情報データベースの一例（その１）を示す説明図である。
【図３−２】口座情報データベースの一例（その２）を示す説明図である。
【図４−１】この発明にかかる実施の形態１の現金出納システムにおけるＡＴＭが表示する表示画面例を示す説明図（その１）である。
【図４−２】この発明にかかる実施の形態１の現金出納システムにおけるＡＴＭが表示する表示画面例を示す説明図（その２）である。
【図４−３】この発明にかかる実施の形態１の現金出納システムにおけるＡＴＭが表示する表示画面例を示す説明図（その３）である。
【図５−１】この発明にかかる実施の形態１の現金出納システムにおける利用者の端末装置が表示する表示画面例を示す説明図（その１）である。
【図５−２】この発明にかかる実施の形態１の現金出納システムにおける利用者の端末装置が表示する表示画面例を示す説明図（その２）である。
【図６】この発明にかかる実施の形態１の現金出納システムの機能的構成を示すブロック図である。
【図７】この発明にかかる実施の形態１の現金出納システムが備えるサーバ装置の処理手順を示すフローチャート（その１）である。
【図８】この発明にかかる実施の形態１の現金出納システムが備えるサーバ装置の処理手順を示すフローチャート（その２）である。
【図９】この発明にかかる実施の形態１の現金出納システムが備えるサーバ装置の処理手順を示すフローチャート（その３）である。
【図１０】この発明にかかる実施の形態１の現金出納システムが備えるサーバ装置の処理手順を示すフローチャート（その４）である。
【図１１】この発明にかかる実施の形態１の現金出納システムが備えるＡＴＭの処理手順を示すフローチャートである。
【図１２】この発明にかかる実施の形態２の現金出納システムが備えるサーバ装置の処理手順を示すフローチャートである。
【発明を実施するための形態】
【００１７】
（実施の形態１）
以下に添付図面を参照して、この発明にかかるサーバ装置を含む現金出納システムの好適な実施の形態１を詳細に説明する。
【００１８】
（現金出納システムのシステム構成）
まず、この発明にかかる実施の形態１のサーバ装置１１０を含む現金出納システム１００のシステム構成について説明する。図１は、この発明にかかる実施の形態１のサーバ装置１１０を含む現金出納システム１００のシステム構成を示す説明図である。
【００１９】
図１において、この発明にかかる実施の形態１の現金出納システム１００は、サーバ装置１１０と、第１および第２の現金取引装置を実現するＡＴＭ（Ａｕｔｏｍａｔｉｃ  Ｔｅｌｌｅｒ  Ｍａｃｈｉｎｅ）１２０と、を備えて構成されている。ＡＴＭ１２０は、銀行などの金融機関が発行したカードの挿入を受け付けるカード挿入口１２１を備えており、カードが挿入された状態において所定の入力操作を受け付けた場合に、預貯金口座からの現金の引き出し、振り込み、振替などの金融機関の現金出金サービスを提供する。なお、ＡＴＭ１２０は、預貯金口座への現金の預け入れ、預貯金残高や取引明細の照会なども含めた現金出納サービスを提供してもよい。
【００２０】
この発明にかかる実施の形態１の現金出納システム１００において、現金取引装置は、預貯金口座からの現金の引き出し、振り込み、振替などの金融機関の現金出金サービスを提供する、いわゆる、現金自動預け払い機と称されるＡＴＭ１２０に加えて、現金の引き出しのみをおこなう現金自動支払い機あるいはＣＤ（Ｃａｓｈ  Ｄｉｓｐｅｎｓｅｒ）を含んでいてもよい。すなわち、この発明にかかる現金取引装置は、金融機関が提供する各種サービスのうち、少なくとも現金の出金サービスを提供する装置であればよい。
【００２１】
カードは、たとえば、銀行などの金融機関が預貯金口座の開設者（利用者）に発行するキャッシュカードによって実現することができる。キャッシュカードなどのカードは、たとえば、幅８５．６０ｍｍ、高さ５３．９８ｍｍ、厚さ０．７６ｍｍサイズ（いわゆるＩＳＯ（ＩＳＯ／ＩＥＣ  ７８１０）やＪＩＳ（ＪＩＳ−Ｘ６３０１）によって規定されている一般的なカードサイズ）のプラスチック製の板形状をなしている。
【００２２】
カードは、たとえば、預貯金口座の口座番号や当該口座番号によって識別される利用者の氏名の文字が記録されている。口座番号は、金融機関において開設した預貯金口座を識別可能な情報であって、預貯金口座ごとに固有の情報によって実現することができる。口座番号や利用者の氏名は、エンボス加工による刻印や印字によって設けられている。
【００２３】
カードは、たとえば、プラスチック製の板形状をなす基体にＩＣチップを搭載したＩＣチップ内蔵カードによって実現することができる。あるいは、カードは、基体に磁気製の帯を設けた磁気ストライプカードによって実現されるものであってもよい。口座番号は、利用者（預貯金者）の預貯金口座を識別するために各預貯金口座に対して割り当てられる固有の番号であって、各預貯金口座固有の口座番号（３桁の数字）や銀行を識別するために銀行ごとの銀行番号（３桁の数字）などを含んでいる。
【００２４】
サーバ装置１１０とＡＴＭ１２０とは、それぞれ、都市銀行などの金融機関どうしの提携ネットワークなどのネットワーク１０１に接続されている。金融機関どうしの提携ネットワークは、各金融機関のＡＴＭ（ＣＤやＡＴＭ）１２０どうしを相互に接続することによって構成されるネットワーク１０１であって、たとえば、ＢＡＮＣＳ（ＢＡＮｋｓ  Ｃａｓｈ  Ｓｅｒｖｉｃｅ）、ＭＩＣＳ（Ｍｕｌｔｉ  Ｉｎｔｅｇｒａｔｅｄ  Ｃａｓｈ  Ｓｅｒｖｉｃｅ）、ＡＣＳ（Ａｌｌ  Ｊａｐａｎ  Ｃａｒｄ  Ｓｅｒｖｉｃｅ）、ＬＯＮＧＳなどが存在する。現金出納システム１００において、各ＡＴＭ１２０は、それぞれ、サーバ装置１１０との間で通信可能とされている。
【００２５】
現金出納システム１００は、利用者の端末装置１３０を含んで構成されるものであってもよい。利用者の端末装置１３０は、インターネットなどのネットワーク１０１を介してサーバ装置１１０に接続されており、金融機関がインターネット上に開設した所定のＷＥＢサイトにアクセスすることができる。サーバ装置１１０や利用者の端末装置１３０は、パーソナルコンピュータなどのコンピュータ装置によって実現することができる。
【００２６】
利用者の端末装置１３０は、たとえば、後述する出金の許可または拒否を示す出金許可情報などをサーバ装置１１０に送信するために端末装置１３０から操作する場合やサーバ装置１１０から送信される第１の利用者からの要求情報を第２の利用者に通知するために用いることができる。また、利用者の端末装置１３０は、たとえば、利用者の携帯電話やスマートフォンなどの携帯型通信端末装置であってもよい。
【００２７】
（コンピュータ装置のハードウエア構成）
つぎに、この発明にかかる実施の形態１の現金出納システム１００を構成するサーバ装置１１０を実現するコンピュータ装置のハードウエア構成について説明する。図２−１は、この発明にかかる実施の形態１の現金出納システム１００を構成するサーバ装置１１０を実現するコンピュータ装置のハードウエア構成を示す説明図である。
【００２８】
図２−１において、この発明にかかる実施の形態１の現金出納システム１００を構成するサーバ装置１１０を実現するコンピュータ装置は、ＣＰＵ２１１と、ＲＯＭ２１２と、ＲＡＭ２１３と、ＨＤＤ（ハードディスクドライブ）２１４と、ＨＤ（ハードディスク）２１５と、ネットワークＩ／Ｆ（インターフェイス）２１６と、を備えている。また、この発明にかかる実施の形態１の現金出納システム１００を構成するサーバ装置１１０を実現するコンピュータ装置が備える各部は、バス２１０によってそれぞれ接続されている。
【００２９】
ＣＰＵ２１１は、コンピュータ装置全体の制御をつかさどる。ＲＯＭ２１２は、ブートプログラムなどのプログラムを記憶している。ＲＡＭ２１３は、ＣＰＵ２１１のワークエリアとして使用される。ＨＤＤ２１４は、ＣＰＵ２１１の制御にしたがってＨＤ２１５に対するデータのリード／ライトを制御する。ＨＤ２１５は、ＨＤＤ２１４の制御で書き込まれたデータを記憶する。
【００３０】
ネットワークＩ／Ｆ２１６は、ネットワーク１０１を介してＡＴＭ１２０に接続されている。また、ネットワークＩ／Ｆ２１６は、ネットワーク１０１を介して利用者の端末装置１３０に接続されている。ネットワークＩ／Ｆ２１６は、ネットワーク１０１と内部とのインターフェイスをつかさどり、コンピュータ装置におけるデータの入出力を制御する。
【００３１】
（ＡＴＭ１２０のハードウエア構成）
つぎに、この発明にかかる実施の形態１の現金出納システム１００を構成するＡＴＭ１２０を実現するコンピュータ装置のハードウエア構成について説明する。図２−２は、この発明にかかる実施の形態１の現金出納システム１００を構成するＡＴＭ１２０を実現するコンピュータ装置のハードウエア構成を示す説明図である。
【００３２】
図２−２において、この発明にかかる実施の形態１の現金出納システム１００を構成するＡＴＭ１２０を実現するコンピュータ装置は、ＣＰＵ２２１と、ＲＯＭ２２２と、ＲＡＭ２２３と、ディスプレイ２２４と、タッチパネル２２５と、ネットワークＩ／Ｆ２２６と、プリンタ２２７と、カードリーダライタ２２８と、を備えている。また、この発明にかかる実施の形態１の現金出納システム１００を構成するＡＴＭ１２０を実現するコンピュータ装置が備える各部は、バス２２０によってそれぞれ接続されている。また、ＡＴＭ１２０は、各種のデータを記憶するＨＤや当該ＨＤに対するデータのリード／ライトを制御するＨＤＤなどを備えていてもよい。
【００３３】
ＣＰＵ２２１は、ＡＴＭ１２０全体の制御をつかさどり、ＲＡＭ２２３をワークエリアとしながらＲＯＭ２２２に記憶された各種プログラムを実行する。ディスプレイ２２４は、たとえば、表示画面（図４−１〜図４−３を参照）を表示する。ディスプレイ２２４は、具体的には、たとえばＴＦＴ液晶ディスプレイ、プラズマディスプレイ、有機ＥＬディスプレイなど、公知の各種のディスプレイによって実現することができる。
【００３４】
タッチパネル２２５は、ディスプレイ２２４に積層されており、操作された位置に応じた座標信号を出力する。ＣＰＵ２２１は、たとえば、ディスプレイ２２４における表示内容とタッチパネル２２５において操作された座標位置とに基づいて、表示内容を切り替える。ＡＴＭ１２０は、タッチパネル２２５に加えて、数値を入力するテンキーを備えていてもよい。また、タッチパネル２２５に代えてあるいは加えて、キーボードを備えていてもよい。
【００３５】
ネットワークＩ／Ｆ２２６は、ネットワーク１０１を介して、サーバ装置１１０を実現するコンピュータ装置との間での通信をおこなう。ネットワークＩ／Ｆ２２６は、サーバ装置１１０を実現するコンピュータ装置との間で通信をおこなうことによって、たとえば、利用者に関する情報および金額に関する情報を含む要求情報などの各種の情報をサーバ装置１１０に送信する。
【００３６】
プリンタ２２７は、タッチパネル２２５に対する入力操作に応じてＡＴＭ１２０がおこなった各種の現金出金サービスの結果を記録媒体に印刷出力する。具体的には、プリンタ２２７は、たとえば、タッチパネル２２５に対して預貯金口座から現金を引き出す入力操作がおこなわれた場合に、預貯金残高や取引明細などを印刷し、印刷された記録媒体を所定の排出口から排出する。記録媒体は、所定幅の長尺状のロール紙を用いることができる。このようなロール紙を用いる場合、プリンタ２２７はロール紙を所定の位置で切断するためのカッタ機構を備えている。プリンタ２２７は、たとえばレーザプリンタ、インクジェットプリンタ、インクリボンプリンタなど、公知の各種の印刷方法によって印刷をおこなうプリンタによって実現することができる。
【００３７】
カードリーダライタ２２８は、カードが備える記憶媒体に記憶されたカード情報を読み取り、読み取った情報を含む信号をＣＰＵ２２１に出力する。カード情報は、たとえば、カードの識別情報、当該カードの所有者（利用者）の口座番号、暗証番号、預貯金口座を開設した支店名などの情報を含んでいる。
【００３８】
たとえば、この発明にかかる実施の形態１のカードを、プラスチック製の板形状をなす基体にＩＣチップを搭載したＩＣチップ内蔵カードによって実現する場合、カードリーダライタ２２８は、カードが記憶媒体として備えるＩＣチップに接続される接続端子を備え、当該接続端子を介してＩＣチップに記憶されたカード情報を読み取る。カードリーダライタ２２８が非接触式ＩＣカードタイプのカードを読み取り対象とする場合は、さらに、カードと通信をおこなう通信部を備えていてもよい。
【００３９】
あるいは、たとえば、この発明にかかる実施の形態１のカードを、基体に磁気製の帯を設けた磁気ストライプカードによって実現する場合、カードリーダライタ２２８は、たとえば、カードが記憶媒体として備える磁気帯に記憶されたカード情報を読み取る磁気ヘッドを備え、当該磁気ヘッドの読取位置を磁気タイプのカードが通過する際に、カードの磁気帯に記憶されたカード情報を読み取る。ＡＴＭ１２０は、カードリーダライタ２２８に代えて、カード情報の読み取りのみをおこなうカードリーダを備えていてもよい。
【００４０】
（利用者の端末装置１３０を実現するコンピュータ装置のハードウエア構成）
つぎに、この発明にかかる実施の形態１の現金出納システム１００を構成する利用者の端末装置１３０を実現するコンピュータ装置のハードウエア構成について説明する。図２−３は、この発明にかかる実施の形態１の現金出納システム１００を構成する利用者の端末装置１３０を実現するコンピュータ装置のハードウエア構成を示す説明図である。
【００４１】
図２−３において、この発明にかかる実施の形態１の現金出納システム１００を構成する利用者の端末装置１３０を実現するコンピュータ装置は、ＣＰＵ２３１と、ＲＯＭ２３２と、ＲＡＭ２３３と、ＨＤＤ２３４と、ＨＤ２３５と、ディスプレイ２３６と、操作部２３７と、ネットワークＩ／Ｆ２３８と、を備えている。また、この発明にかかる実施の形態１の現金出納システム１００を構成する利用者の端末装置１３０を実現するコンピュータ装置が備える各部は、バス２３０によってそれぞれ接続されている。
【００４２】
ＣＰＵ２３１は、利用者の端末装置１３０を実現するコンピュータ装置全体の制御をつかさどる。ＲＯＭ２３２は、ブートプログラムなどのプログラムを記憶している。ＲＡＭ２３３は、ＣＰＵ２３１のワークエリアとして使用される。ＨＤＤ２３４は、ＣＰＵ２３１の制御にしたがってＨＤ２３５に対するデータのリード／ライトを制御する。ＨＤ２３５は、ＨＤＤ２３４の制御で書き込まれたデータを記憶する。
【００４３】
ディスプレイ２３６は、たとえば、液晶パネルを備えた表示装置によって実現することができる。ディスプレイ２３６を実現する液晶パネルは、任意の文字列、数字、記号などを表示することができる。ディスプレイ２３６は、たとえば、利用者の端末装置１３０を実現するコンピュータ装置に対して、この発明にかかる実施の形態１の現金出納システム１００を運用する金融機関がインターネット上に開設した所定のＷＥＢサイトにアクセスする入力操作がおこなわれた場合に、該当するＷＥＢページなどを表示する。
【００４４】
操作部２３７は、たとえば、タッチパネル、キーボード、テンキーなどによって実現することができ、利用者による各種の入力操作を受け付ける。具体的には、たとえば、ディスプレイ２３６に、所定のＷＥＢサイトの「初期画面」を表示している状態で、「要求を確認する」キーが選択され、他の利用者から出金の要求が来ている場合に、出金の要求を通知する画面（図５−２を参照）を表示する。また、操作部２３７は、たとえば、マウスによって実現してもよい。タッチパネル、キーボード、テンキー、マウスなどによって実現される操作部２３７は、当該操作部２３７に対する入力操作に応じた信号を出力する。
【００４５】
ネットワークＩ／Ｆ２３８は、インターネットなどのネットワーク１０１に接続され、当該ネットワーク１０１を介して、サーバ装置１１０などの外部装置に接続される。そして、ネットワークＩ／Ｆ２３８は、ネットワーク１０１と利用者の端末装置１３０を実現するコンピュータ装置の内部とのインターフェイスをつかさどり、利用者の端末装置１３０を実現するコンピュータ装置と外部装置との間におけるデータの入出力を制御する。
【００４６】
（口座情報データベースの一例）
つぎに、口座情報データベースの一例について説明する。図３―１は、口座情報データベースの一例（その１）を示す説明図である。図３―１において、口座情報データベース３００は、サーバ装置１１０を実現するコンピュータ装置が備えるＨＤ２１５などの記憶媒体に設けられている。口座情報データベース３００は、利用者の識別情報としての口座番号ごとに、当該口座の利用者の認証に用いる複数のカード情報を含む利用者情報を関連付けて記憶する。利用者の識別情報は、口座番号の情報だけでなく、口座番号を特定できる情報であればよい。利用者情報は、当該口座番号によって識別される複数の利用者の氏名や連絡先を含む。複数の利用者は、たとえば、第１のカードを所有する第１の利用者および第１のカードとは異なる第２のカードを所有する第２の利用者であり、第１の利用者および第２の利用者以外の他の利用者がいてもよい。連絡先は、たとえば、口座番号によって識別される預貯金口座を開設した利用者の住所、電話番号、電子メールアドレス、利用者の端末装置１３０に固有の電話番号や製造番号などを示す情報を含んでいてもよい。カードに関する情報は、当該カードに関する情報によって特定されるカードを所有する利用者に関する情報であって、たとえば、カード番号などがある。
【００４７】
また、口座情報データベース３００は、たとえば、口座番号ごとに、要求情報を関連付けて記憶する。要求情報は、利用者が他の利用者と共有する口座の口座番号から出金の要求をおこなう際に生成される。すなわち、要求情報は、出金の要求を示す。また、要求情報は、出金の要求者に関する情報、金額に関する情報および出金の許可者（要求相手）に関する情報を含む。たとえば、第１の利用者が第２の利用者に対し、出金の要求をおこなう場合、出金の要求者に関する情報は、第１の利用者に関する情報であり、出金の許可者に関する情報は、第２の利用者に関する情報である。第１の利用者に関する情報は、たとえば、第１の利用者のカード情報や第１の利用者を特定できる情報である。第２の利用者に関する情報は、たとえば、第２の利用者のカード情報や第２の利用者を特定できる情報である。要求情報は、出金の要求をおこなった日時、出金の処理がすでにおこなわれているか否か、出金の許可者による許可待ちであるか否かなどの情報を含んでもよい。出金の要求に対して出金の処理がなされた場合には、その日時の情報を含んでもよい。
【００４８】
また、口座情報データベース３００は、応答結果に関する情報を要求情報に関連付けて記憶する。応答結果に関する情報は、要求情報に対して、利用者の操作により応答することで生成される。また、応答結果に関する情報は、出金の要求者（応答相手）に関する情報、金額に関する情報および出金の許可者（応答者）に関する情報を含む。また、応答結果に関する情報は、出金の許可または拒否を示す出金許可情報を含む。出金許可情報は、出金の要求者（応答相手）に関する情報、金額に関する情報および出金の許可者（応答者）に関する情報を含んでもよい。
【００４９】
また、口座情報データベース３００は、金額変更に関する情報を応答結果に関する情報に関連付けて記憶してもよい。金額変更に関する情報とは、要求情報に含まれる金額に関する情報に対する出金を許可する金額を変更する情報である。たとえば、要求情報に含まれる金額に関する情報が２万円であったとき、出金の許可者による所定の操作によって、金額変更に関する情報に含まれる金額は、要求情報に含まれる金額とは異なる金額（たとえば、１万円）となる場合、要求情報に含まれる金額に関する情報（たとえば、２万円）の出金が許可されず、金額変更に関する情報（たとえば、１万円）が許可されたことになる。また、金額変更に関する情報は、応答結果に関する情報に含まれてもよい。具体的には、応答結果に関する情報に含まれる金額に関する情報が要求情報に含まれる金額に関する情報と異なる場合、応答結果に関する情報に含まれる金額に関する情報を、金額変更に関する情報としてもよい。
【００５０】
また、口座情報データベース３００は、応答結果の有効期間に関する情報を応答結果に関する情報に関連付けて記憶してもよい。応答結果の有効期間に関する情報は、応答結果の有効期間を示す。たとえば、応答結果に関する情報が出金を許可することを示す出金許可情報であっても、応答結果に関する情報に含まれる有効期間内に、出金の要求者からの所定の手続がなされないと、出金を許可することを示す出金許可情報が無効となり、出金が認められなくなる。また、応答結果の有効期間に関する情報は、たとえば、「いつからいつまで」のように有効期間の始点と終点とを指定することによって定めることができる。また、応答結果の有効期間に関する情報は、たとえば、「（現在から）いつまで」のように、有効期間の始点を現在とし、終点のみを定めることによって定めてもよい。また、有効期間は、たとえば、「本日中」や「今日の午前中まで」などのように定めてもよい。また、応答結果の有効期間に関する情報は、システム所定の有効期間としてもよく、出金の許可者から設定されるものであってもよい。また、口座情報データベース３００は、口座番号ごとに、利用者情報、要求情報、応答結果に関する情報、金額変更に関する情報、応答結果の有効期間に関する情報などを関連付けてもよい。
【００５１】
図３―１において、口座情報データベース３００は、たとえば、２０１４年１月１日１０時に生成された要求情報は、出金の要求者は第１の利用者、金額に関する情報は２万円、および出金の許可者は第２の利用者であることを示している。当該要求情報に対する応答結果に関する情報は、２０１４年１月１日１５時に生成され、出金の要求者は第１の利用者、金額変更に関する情報はなし、出金の許可者は第２の利用者、出金は許可されたことを示しており、当該要求情報に対する出金の処理がすでにおこなわれていることを示している。また、図３―１において、口座情報データベース３００は、２０１４年２月１日１０時に生成された要求情報は、第２の利用者からの許可待ちであることを示している。
【００５２】
（口座情報データベースの別の一例）
つぎに、口座情報データベースの別の一例について説明する。図３―２は、口座情報データベースの一例（その２）を示す説明図である。図３―２において、別の一例の口座情報データベース３００は、サーバ装置１１０を実現するコンピュータ装置が備えるＨＤ２１５などの記憶媒体に設けられている。別の一例の口座情報データベース３００は、利用者の識別情報としての口座番号ごとに、当該口座の利用者の認証に用いる複数のカード情報を含む利用者情報を関連付けて記憶する。利用者の識別情報は、口座番号の情報だけでなく、口座番号を特定できる情報であればよい。利用者情報は、当該口座番号によって識別される複数の利用者の氏名や連絡先を含む。複数の利用者は、たとえば、第１の利用者および第２の利用者である。連絡先は、たとえば、口座番号によって識別される預貯金口座を開設した利用者の住所、電話番号、電子メールアドレス、利用者の端末装置１３０に固有の電話番号や製造番号などを示す情報を含んでいてもよい。
【００５３】
別の一例の口座情報データベース３００は、たとえば、口座番号ごとに、出金許可情報を関連付けて記憶する。出金許可情報は、出金の許可者である利用者が、あらかじめ出金の許可をおこなう際に生成される。出金許可情報は、たとえば、出金の許可者である第２の利用者が、第１の利用者から出金の要求がおこなわれる前に、第１の利用者の出金を許可することを示す。また、出金許可情報は、出金の被許可者に関する情報、金額に関する情報、出金の許可者に関する情報を含む。図３−２において、出金許可情報は、２０１４年２月２日１１時に生成され、出金の被許可者は第１の利用者であり、金額に関する情報は１万円であり、出金の許可者は第２の利用者であり、当該出金許可情報に対応する出金の処理はなされていないことを示す。
【００５４】
また、別の一例の口座情報データベース３００は、口座情報データベース３００と同様に、口座番号ごとに要求情報を関連付けて記憶してもよい。また、別の一例の口座情報データベース３００は、出金許可情報に出金許可の有効期間に関する情報を含んでもよい。出金許可の有効期間に関する情報は、口座情報データベース３００の応答結果の有効期間に関する情報と同様に機能する。また、別の一例の口座情報データベース３００は、口座番号ごとに、利用者情報、出金許可情報、要求情報、出金許可の有効期間に関する情報などを関連付けてもよい。
【００５５】
（ＡＴＭ１２０の表示画面例）
つぎに、この発明にかかる実施の形態１の現金出納システム１００におけるＡＴＭ１２０が表示する表示画面例について説明する。図４−１、図４−２および図４−３は、この発明にかかる実施の形態１の現金出納システム１００におけるＡＴＭ１２０が表示する表示画面例を示す説明図である。
【００５６】
図４−１において、表示画面４０１は、ＡＴＭ１２０が備えるディスプレイ２２４に表示される現金出金サービスの選択画面を示している。表示画面４０１は、「お引き出し」キー、「お振り込み」キーなどの金融機関の現金出金サービスを指定する各キーを表示するとともに、「出金を要求する」キー、「事前に出金を許可する」キー、「要求した応答結果を確認する」キー、「要求を確認する」キーを表示する。
【００５７】
図４−２において、表示画面４０２は、表示画面４０１において「出金を要求する」キーが操作された場合に、ＡＴＭ１２０が備えるディスプレイ２２４に表示される。表示画面４０２は、出金の要求者に関する情報、金額に関する情報、出金の許可者に関する情報を入力する入力欄を表示する。これらの入力欄を入力し、「登録」キーを押すことで、ＡＴＭ１２０から要求情報がサーバ装置１１０に送信される。
【００５８】
図４−３において、表示画面４０３は、表示画面４０１において、「要求を確認する」キーが選択され、他の利用者から出金の要求が来ている場合に、ＡＴＭ１２０が備えるディスプレイ２２４に表示される。表示画面４０３は、たとえば、出金の要求者に関する情報および金額に関する情報を表示するとともに、「出金を許可する」キー、「出金を拒否する」キー、「金額を変更して許可する」キーなどを表示することで、出金の許可または拒否の入力を促す。
【００５９】
（利用者の端末装置１３０の表示画面例）
つぎに、この発明にかかる実施の形態１の現金出納システム１００における利用者の端末装置１３０が表示する表示画面例について説明する。図５−１および図５−２は、この発明にかかる実施の形態１の現金出納システム１００における利用者の端末装置１３０が表示する表示画面例を示す説明図である。
【００６０】
図５−１において、表示画面５０１は、たとえば、利用者が、利用者の端末装置１３０に対して、この発明にかかる実施の形態１の現金出納システム１００を運用する金融機関がインターネット上に開設した所定のＷＥＢサイトにアクセスする入力操作をおこなった場合に、当該利用者の端末装置１３０が備えるディスプレイ２３６に表示される。表示画面５０１は、「振り込み・振替」、「口座情報照会」、「セキュリティ設定」、「外貨預金」などインターネットを介して提供される金融機関のサービスに加えて、「出金を要求する」、「事前に出金を許可する」、「要求した応答結果を確認する」、「要求を確認する」を表示する。表示画面５０１において、「出金を要求する」キーが操作された場合、表示画面４０２と同様の画面がディスプレイ２３６に表示される。また、表示画面５０１において、「要求した応答結果を確認する」キーが操作され、他の利用者から出金の要求が来ている場合に、表示画面４０３と同様の画面がディスプレイ２３６に表示される。
【００６１】
図５−２において、表示画面５０２は、サーバ装置１１０から送信される要求情報を受信した場合に、利用者の端末装置１３０が備えるディスプレイ２３６に表示される。表示画面５０２は、たとえば、出金の要求者に関する情報および金額に関する情報を表示することで、他の利用者からの出金の要求が来ていることを利用者に通知する。また、表示画面５０２は、出金の許可者に関する情報を表示してもよい。また、表示画面５０２は、たとえば、「出金の要求に応答してください」などといったメッセージを表示することで、利用者にＡＴＭ１２０または端末装置１３０からの出金の要求に対する応答を促す。
【００６２】
（現金出納システム１００の機能的構成）
つぎに、この発明にかかる実施の形態１の現金出納システム１００の機能的構成について説明する。図６は、この発明にかかる実施の形態１の現金出納システム１００の機能的構成を示すブロック図である。以下において説明の便宜上、第１の利用者に関する情報（または第１のカード情報）を取得しているＡＴＭ１２０を、第１のＡＴＭ１２０とし、第２の利用者に関する情報（または第２のカード情報）を取得しているＡＴＭ１２０を、第２のＡＴＭ１２０として説明する。出金の要求者を第１の利用者とし、出金の許可者を第２の利用者として説明する。第１のＡＴＭ１２０および第２のＡＴＭ１２０は、同一店舗に設置されていてもよく、それぞれ異なる店舗に設置されていてもよい。
【００６３】
図６において、この発明にかかる実施の形態１の現金出納システム１００におけるＡＴＭ１２０の各機能は、識別情報取得部６０１と、要求情報受付部６０２と、端末側要求情報送信部６０３と、確認情報受付部６０４と、端末側確認情報送信部６０５と、端末側要求情報受信部６０６と、応答情報受付部６０７と、端末側応答情報送信部６０８と、端末側応答情報受信部６０９と、指示情報受信部６１０と、指示実行部６１１と、によって実現することができる。
【００６４】
ＡＴＭ１２０の各機能を実現する識別情報取得部６０１、要求情報受付部６０２、端末側要求情報送信部６０３、確認情報受付部６０４、端末側確認情報送信部６０５、端末側要求情報受信部６０６、応答情報受付部６０７、端末側応答情報送信部６０８、端末側応答情報受信部６０９、指示情報受信部６１０、指示実行部６１１は、ＡＴＭ１２０が備える各部によって実現することができる。
【００６５】
識別情報取得部６０１は、カードが備える記憶媒体に記憶されているカード情報を読み取ることによって当該カード情報を利用者の識別情報として取得する。具体的には、識別情報取得部６０１は、たとえば、ＡＴＭ１２０のカード挿入口１２１からカードが挿入された場合など、カードがＡＴＭ１２０の読み取り位置に位置付けられた場合に、識別情報として当該カード情報（または利用者に関する情報）を取得する。当該カード情報は、たとえば、利用者の口座番号に関する情報もしくは利用者の口座番号を特定できる情報である。また、識別情報取得部６０１は、認証に関する情報を取得してもよい。
【００６６】
要求情報受付部６０２は、口座番号から現金を引き出す出金の要求者に関する情報（たとえば、第１の利用者に関する情報）、金額に関する情報、出金の許可者に関する情報（たとえば、第２の利用者に関する情報）を含む要求情報の入力を受け付ける。具体的には、要求情報受付部６０２は、たとえば、表示画面４０１において、「出金を要求する」キーが操作され、表示画面４０２において、出金の要求者に関する情報（たとえば、第１の利用者に関する情報）、金額に関する情報および出金の許可者に関する情報（たとえば、第２の利用者に関する情報）の入力を受け付ける。また、要求情報受付部６０２は、識別情報取得部６０１が第１の利用者に関する情報を取得している場合には、出金の要求者に関する情報の入力を受け付けなくてもよい。
【００６７】
端末側要求情報送信部６０３は、要求情報受付部６０２が受け付けた出金の要求者に関する情報（たとえば、第１の利用者に関する情報）、金額に関する情報、出金の許可者に関する情報（たとえば、第２の利用者に関する情報）を含む要求情報をサーバ装置１１０に送信する。また、端末側要求情報送信部６０３は、識別情報取得部６０１が取得した識別情報を、出金の要求者に関する情報としてサーバ装置１１０に送信してもよい。また、端末側要求情報送信部６０３は、カード情報および認証に関する情報を含む認証要求情報をサーバ装置１１０に送信してもよい。
【００６８】
確認情報受付部６０４は、利用者（たとえば、第１の利用者）からの第１の確認情報（単なる確認情報とも称する）の入力を受け付ける。第１の確認情報とは、利用者からの要求情報に対する応答結果に関する情報を確認するための情報である。第１の確認情報は、識別情報取得部６０１が取得した利用者に関する情報を含む。具体的には、確認情報受付部６０４は、端末側要求情報送信部６０３がサーバ装置１１０に送信した要求情報に対する応答結果を確認するために、表示画面４０１において、「要求した応答結果を確認する」キーが操作されることで、第１の確認情報の入力を受け付ける。
【００６９】
また、確認情報受付部６０４は、利用者（たとえば、第２の利用者）からの第２の確認情報を受信する。第２の確認情報とは、利用者が他の利用者からの要求情報が来ているか否かを確認するために、口座情報データベース３００において利用者に関する情報に関連付けられた要求情報の確認を要求する情報である。第２の確認情報は、識別情報取得部６０１が取得した利用者に関する情報を含む。具体的には、確認情報受付部６０４は、たとえば、第１の利用者からの要求情報の有無を確認するために、表示画面４０１において、「要求を確認する」キーが操作されることで、第２の確認情報の入力を受け付ける。端末側確認情報送信部６０５は、確認情報受付部６０４が受け付けた第１の確認情報をサーバ装置１１０に送信する。また、端末側確認情報送信部６０５は、確認情報受付部６０４が受け付けた第２の確認情報をサーバ装置１１０に送信する。
【００７０】
端末側要求情報受信部６０６は、端末側確認情報送信部６０５がサーバ装置１１０に送信した第２の確認情報に対して、サーバ装置１１０から送信される出金の要求者に関する情報（たとえば、第１の利用者に関する情報）、金額に関する情報、出金の許可者に関する情報（たとえば、第２の利用者に関する情報）を含む要求情報を受信する。また、端末側要求情報受信部６０６は、サーバ装置１１０から送信される認証成功情報または認証失敗情報を受信してもよい。
【００７１】
応答情報受付部６０７は、端末側要求情報受信部６０６が要求情報を受信した場合、要求情報に対する応答結果に関する情報の入力を受け付ける。具体的には、応答情報受付部６０７は、たとえば、第１の利用者からの要求情報に対する出金を許可する入力を受け付ける場合、表示画面４０３において、「出金を許可する」キーが操作される。この場合、応答結果に関する情報は、出金を許可することを示す出金許可情報、出金の要求者に関する情報（たとえば、第１の利用者に関する情報）、金額に関する情報、出金の許可者に関する情報（たとえば、第２の利用者に関する情報）を含んでいる。
【００７２】
また、具体的には、応答情報受付部６０７は、たとえば、第１の利用者からの要求情報に対する出金を拒否する入力を受け付ける場合、表示画面４０３において、「出金を拒否する」キーが操作される。この場合、応答結果に関する情報は出金を拒否する出金許可情報、出金の要求者に関する情報（たとえば、第１の利用者に関する情報）、金額に関する情報、出金の許可者に関する情報（たとえば、第２の利用者に関する情報）を含んでいる。出金を拒否する出金許可情報の場合には、金額に関する情報は含まなくてもよい。また、応答情報受付部６０７は、応答結果に関する情報が出金を拒否する出金許可情報である場合、出金を拒否する理由の入力を受け付けてもよい。
【００７３】
また、具体的には、応答情報受付部６０７は、要求情報に含まれる金額に関する情報に対する金額変更に関する情報を受け付けてもよい。たとえば、表示画面４０３において、「金額を変更して許可する」キーが操作されて、金額変更に関する情報の入力を受け付ける。また、応答情報受付部６０７は、応答結果の有効期間に関する情報の入力を受け付ける。
【００７４】
端末側応答情報送信部６０８は、応答情報受付部６０７が受け付けた応答結果に関する情報をサーバ装置１１０に送信する。また、端末側応答情報送信部６０８は、応答情報受付部６０７が受け付けた要求情報に含まれる金額に関する情報に対する金額変更に関する情報をサーバ装置１１０に送信する。端末側応答情報送信部６０８は、応答情報受付部６０７が受け付けた応答結果の有効期間に関する情報をサーバ装置１１０に送信する。
【００７５】
端末側応答情報受信部６０９は、端末側確認情報送信部６０５がサーバ装置１１０に送信した第１の確認情報に対して、サーバ装置１１０から送信される応答結果に関する情報を受信する。具体的には、端末側応答情報受信部６０９は、サーバ装置１１０から送信される、出金の許可または拒否を示す出金許可情報を含む応答結果に関する情報を受信する。これによって、たとえば、出金の要求者である第１の利用者は、第２の利用者から出金が許可されたことや第２の利用者からの応答結果を知ることができる。
【００７６】
指示情報受信部６１０は、サーバ装置１１０から送信される出金指示情報を受信する。また、指示情報受信部６１０は、サーバ装置１１０から送信される金額変更に関する情報に応じた出金指示情報を受信する。出金指示情報とは、サーバ装置１１０から送信される出金を指示する情報であり、すなわち、出金が許可された金額の現金を出金させる情報であり、出金の要求者に関する情報（たとえば、第１の利用者に関する情報）、金額に関する情報、出金の許可者に関する情報（たとえば、第２の利用者に関する情報）を含んでいる。また、指示情報受信部６１０は、端末側確認情報送信部６０５がサーバ装置１１０に送信した第２の確認情報に対して、サーバ装置１１０から送信される第２の利用者からの許可待ちに関する情報を受信する。
【００７７】
指示実行部６１１は、指示情報受信部６１０が受信した出金指示情報に応じた現金を出金口に移動（出金）する。これによって、たとえば、出金の要求者である第１の利用者は、要求情報に応じた現金を手にすることができる。また、指示実行部６１１は、現金の引き出し結果などをディスプレイ２２４やプリンタ２２７に出力する。
【００７８】
また、指示実行部６１１は、指示情報受信部６１０が受信した金額変更に関する情報に応じた出金指示情報を受信した場合、金額変更に関する情報に応じた現金を出金口から出金する。これによって、たとえば、出金の要求者である第１の利用者は、要求情報に応じた現金ではなく、出金の許可者である第２の利用者が許可した金額の現金を手にすることができる。
【００７９】
また、指示実行部６１１は、指示情報受信部６１０が受信した第２の利用者からの許可待ちに関する情報をディスプレイ２２４やプリンタ２２７に出力する。これによって、たとえば、「第２の利用者からの許可待ちです」などといった情報が出力されることで、許可待ちであることを第１の利用者に伝えることができる。
【００８０】
この発明にかかる実施の形態１の現金出納システム１００におけるサーバ装置１１０の各機能は、データベース格納部６２０と、要求情報受信部６２１と、利用者特定部６２２と、記憶部６２３と、データベース更新部６２４と、確認情報受信部６２５と、要求情報判断部６２６と、要求情報送信部６２７と、応答情報受信部６２８と、応答情報判断部６２９と、応答情報送信部６３０と、指示情報送信部６３１と、有効期間判断部６３２と、出金実行部６３３と、によって実現することができる。
【００８１】
サーバ装置１１０の各機能を実現するデータベース格納部６２０、要求情報受信部６２１、利用者特定部６２２、記憶部６２３、データベース更新部６２４、確認情報受信部６２５、要求情報判断部６２６、要求情報送信部６２７、応答情報受信部６２８、応答情報判断部６２９、応答情報送信部６３０、指示情報送信部６３１、有効期間判断部６３２、出金実行部６３３は、サーバ装置１１０が備える各部によって実現することができる。
【００８２】
データベース格納部６２０は、上記の口座情報データベース３００を含む各種のデータベースを格納している。要求情報受信部６２１は、ＡＴＭ１２０から送信される要求情報を受信する。具体的には、要求情報受信部６２１は、出金の要求者に関する情報（たとえば、第１の利用者に関する情報）、金額に関する情報、出金の許可者に関する情報（たとえば、第２の利用者に関する情報）を含む要求情報を受信する。
【００８３】
利用者特定部６２２は、要求情報受信部６２１が受信した要求情報に基づいて、利用者の口座番号および利用者を特定する。また、利用者特定部６２２は、確認情報受信部６２５が受信した第１の確認情報に基づいて、利用者の口座番号および利用者を特定する。また、利用者特定部６２２は、確認情報受信部６２５が受信した第２の確認情報に基づいて、利用者の口座番号および利用者を特定する。利用者特定部６２２は、応答情報受信部６２８が受信した要求情報に対する応答結果に関する情報に基づいて、利用者の口座番号および利用者を特定する。利用者特定部６２２は、応答情報受信部６２８が受信した要求情報に含まれる金額に関する情報に対する金額変更に関する情報に基づいて、利用者の口座番号および利用者を特定する。利用者特定部６２２は、応答情報受信部６２８が受信した応答結果の有効期間に関する情報に基づいて、利用者の口座番号および利用者を特定する。
【００８４】
記憶部６２３は、複数の利用者が共有する口座番号（または識別情報）ごとに、第１および第２のカードのカード情報を関連付けて記憶して、口座情報データベース３００を更新する。また、記憶部６２３は、要求情報受信部６２１が受信した要求情報を口座番号に関連付けて記憶して、口座情報データベース３００を更新する。また、記憶部６２３は、応答情報受信部６２８が受信した応答結果に関する情報を口座番号に関連付けて記憶して、口座情報データベース３００を更新する。また、記憶部６２３は、応答情報受信部６２８が受信した金額変更に関する情報を応答結果に関する情報に関連付けて記憶して、口座情報データベース３００を更新する。
【００８５】
また、記憶部６２３は、応答結果の有効期間に関する情報を応答結果に関する情報に関連付けて記憶して、口座情報データベース３００を更新する。また、記憶部６２３は、応答情報受信部６２８が出金許可情報を受信した場合、出金許可情報を口座番号に関連付けて記憶して、口座情報データベース３００を更新する。また、記憶部６２３は、サーバ装置１１０が構成する各部６２１、６２２、６２４〜６３３から送信される各種の情報に応じて、口座情報データベース３００に記憶されている各種の情報の読み出しをおこなうとともに、口座情報データベース３００に記憶されている各種の情報の更新をおこなう。
【００８６】
データベース更新部６２４は、要求情報受信部６２１が受信した要求情報を口座番号に関連付けて口座情報データベース３００に記憶する。また、データベース更新部６２４は、応答情報受信部６２８が受信した応答結果に関する情報を口座番号に関連付けて口座情報データベース３００に記憶する。また、データベース更新部６２４は、応答情報受信部６２８が、要求情報に含まれる金額に関する情報に対する金額変更に関する情報を受信した場合、金額変更に関する情報を応答結果に関する情報に関連付けて口座情報データベース３００に記憶する。また、データベース更新部６２４は、応答情報受信部６２８が出金許可情報を受信した場合、出金許可情報を口座番号に関連付けて口座情報データベース３００に記憶する。
【００８７】
確認情報受信部６２５は、ＡＴＭ１２０（たとえば、第１のＡＴＭ１２０）から送信される第１の確認情報を受信する。第１の確認情報は、要求情報受信部６２１が受信した要求情報に対応する応答結果の確認を要求する情報を含む。また、確認情報受信部６２５は、ＡＴＭ１２０（たとえば、第２のＡＴＭ１２０）から送信される第２の確認情報を受信する。具体的には、確認情報受信部６２５は、第２のＡＴＭ１２０から、第２のカードに関する情報（たとえば、第２の利用者に関する情報）、および、口座情報データベース３００において当該第２のカードに関する情報に関連付けられた要求情報の確認を要求する情報を含む第２の確認情報を受信する。第２の確認情報は、口座情報データベース３００において当該第２のカードに関する情報に関連付けられた要求情報の確認を要求する情報を含む。
【００８８】
要求情報判断部６２６は、確認情報受信部６２５が第２の確認情報を受信した場合、口座番号に関連付けて口座情報データベース３００を参照して、受信した第２の確認情報に含まれる当該ＡＴＭ１２０から送信された利用者に関する情報（たとえば、第２の利用者に関する情報）に関連付けられた要求情報が含まれているか否かを判断する。また、要求情報判断部６２６は、要求情報に含まれる出金の許可者に関する情報に、第２の確認情報に含まれる利用者に関する情報（たとえば、第２の利用者に関する情報）が含まれているか否かを判断してもよい。
【００８９】
要求情報送信部６２７は、要求情報判断部６２６が口座情報データベース３００に記憶されている要求情報に、当該ＡＴＭ１２０から送信された利用者に関する情報（たとえば、第２の利用者に関する情報）が含まれていると判断した場合、要求情報をＡＴＭ１２０（たとえば、第２のＡＴＭ１２０）に送信する。具体的には、要求情報送信部６２７は、要求情報判断部６２６が第２の利用者に関する情報に関連付けられた要求情報が含まれていると判断した場合、当該要求情報を第２のＡＴＭ１２０に送信する。
【００９０】
応答情報受信部６２８は、ＡＴＭ１２０（たとえば、第２のＡＴＭ１２０）から送信される出金の許可者（たとえば、第２の利用者）からの、要求情報に基づく出金の要求に対する出金の許可または拒否を示す出金許可情報を含む応答結果に関する情報を受信する。また、応答情報受信部６２８は、ＡＴＭ１２０（たとえば、第２のＡＴＭ１２０）から送信される要求情報に含まれる金額に関する情報に対する金額変更に関する情報を受信する。また、応答情報受信部６２８は、ＡＴＭ１２０（たとえば、第２のＡＴＭ１２０）から送信される応答結果の有効期間に関する情報を受信する。
【００９１】
応答情報判断部６２９は、確認情報受信部６２５が第１の確認情報を受信した場合、口座番号に関連付けて口座情報データベース３００に記憶されている応答結果に関する情報に、出金許可情報が含まれているか否かを判断する。具体的には、応答情報判断部６２９は、口座情報データベース３００に記憶されている応答結果に関する情報に、出金を許可することを示す出金許可情報が含まれているか否かを判断する。
【００９２】
応答情報送信部６３０は、応答情報判断部６２９が口座情報データベース３００に記憶されている応答結果に関する情報に、出金許可情報が含まれていると判断した場合、応答結果に関する情報に基づいて、出金の許可または拒否を示す出金許可情報を含む応答結果に関する情報をＡＴＭ１２０（たとえば、第１のＡＴＭ１２０）に送信する。具体的には、応答情報送信部６３０は、応答情報判断部６２９が口座情報データベース３００に記憶されている応答結果に関する情報に、出金の許可を示す出金許可情報が含まれていると判断した場合、応答結果に関する情報に基づいて、出金の許可を示す出金許可情報をＡＴＭ１２０（たとえば、第１のＡＴＭ１２０）に送信する。また、応答情報送信部６３０は、出金許可情報に代えて、出金指示情報を送信してもよい。
【００９３】
指示情報送信部６３１は、口座情報データベース３００に記憶されている応答結果に関する情報に、出金許可情報が含まれていると判断した場合、応答結果に関する情報に基づいて、出金指示情報をＡＴＭ１２０（たとえば、第１のＡＴＭ１２０）に送信する。具体的には、指示情報送信部６３１は、口座情報データベース３００に記憶されている応答結果に関する情報に、出金を許可することを示す出金許可情報が含まれていると判断した場合、出金指示情報をＡＴＭ１２０（たとえば、第１のＡＴＭ１２０）に送信する。
【００９４】
また、指示情報送信部６３１は、応答情報受信部６２８が要求情報に含まれる金額に関する情報に対する金額変更に関する情報を受信し、応答情報判断部６２９が口座情報データベース３００に記憶されている応答結果に関する情報に、出金許可情報が含まれていると判断した場合、応答結果に関する情報に基づいて、金額変更に関する情報に応じた出金指示情報をＡＴＭ１２０（たとえば、第１のＡＴＭ１２０）に送信する。
【００９５】
また、指示情報送信部６３１は、有効期間判断部６３２が応答結果の有効期間内に第１の確認情報を受信したと判断し、かつ応答情報判断部６２９が口座情報データベース３００に記憶されている応答結果に関する情報に、出金許可情報が含まれていると判断した場合、応答結果に関する情報に基づいて、出金指示情報を第１のＡＴＭ１２０に送信する。また、指示情報送信部６３１は、要求情報受信部６２１が要求情報を受信した場合、出金の許可者（たとえば、第２の利用者）からの許可待ちに関する情報、すなわち、要求情報受信部６２１が受信した要求情報に対応する応答結果の受信待ちに関する情報をＡＴＭ１２０（たとえば、第１のＡＴＭ１２０）に送信する。また、指示情報送信部６３１は、出金指示情報をＡＴＭ１２０（たとえば、第１のＡＴＭ１２０）に送信するとともに、出金の許可者に対して出金の報告を通知するための出金報告情報をＡＴＭ１２０（たとえば、第２のＡＴＭ１２０）に送信してもよい。
【００９６】
有効期間判断部６３２は、口座情報データベース３００に記憶されている応答結果の有効期間に関する情報に基づいて、確認情報受信部６２５が応答結果の有効期間内に第１の確認情報を受信したか否かを判断する。出金実行部６３３は、指示情報送信部６３１が出金指示情報を送信した場合、利用者の口座番号から出金指示情報に応じた金額を減額する。
【００９７】
また、有効期間判断部６３２は、確認情報受信部６２５が第１の確認情報を応答結果の有効期間を満了する所定期間前までに受信したか否かを判断してもよい。第１の確認情報を応答結果の有効期間を満了する所定期間前までに受信していないと有効期間判断部６３２が判断した場合、指示情報送信部６３１は、所定期間内に応答結果の有効期間を満了することを通知する情報を利用者の端末装置１３０またはＡＴＭ１２０（たとえば、第１のＡＴＭ１２０）に送信してもよい。これによって、有効期間内に出金の要求者に所定の手続きを促すことで、有効期間内に出金処理をおこなうことができる。換言すれば、有効期間を満了して、出金が認められなくなることを防止することができる。
【００９８】
（サーバ装置１１０の処理手順）
つぎに、この発明にかかる実施の形態１の現金出納システム１００が備えるサーバ装置１１０の処理手順について説明する。図７、図８、図９、および図１０は、この発明にかかる実施の形態１の現金出納システム１００が備えるサーバ装置１１０の処理手順を示すフローチャートである。
【００９９】
図７のフローチャートにおいて、サーバ装置１１０の要求情報の記憶処理について説明する。図７のフローチャートにおいて、まず、サーバ装置１１０は、ＡＴＭ１２０から送信される出金の要求者に関する情報（たとえば、第１の利用者に関する情報）、金額に関する情報、出金の許可者に関する情報（たとえば、第２の利用者に関する情報）を含む要求情報を受信したか否かを判断する（ステップＳ７０１）。ステップＳ７０１において、サーバ装置１１０は、たとえば、第１のＡＴＭ１２０から送信される要求情報を受信する。
【０１００】
ステップＳ７０１において、サーバ装置１１０は、要求情報の受信を待って（ステップＳ７０１：Ｎｏ）、要求情報を受信した場合（ステップＳ７０１：Ｙｅｓ）、当該受信した要求情報に基づいて、利用者の口座番号および利用者（たとえば、第１の利用者）を特定して、当該受信した要求情報に含まれる出金の要求者に関する情報（たとえば、第１の利用者に関する情報）、金額に関する情報、出金の許可者に関する情報（たとえば、第２の利用者に関する情報）を抽出する（ステップＳ７０２）。
【０１０１】
つぎに、抽出した要求情報に含まれる出金の要求者に関する情報（たとえば、第１の利用者に関する情報）、金額に関する情報、出金の許可者に関する情報（たとえば、第２の利用者に関する情報）を利用者の口座番号に関連付けて口座情報データベース３００に記憶して（ステップＳ７０３）、一連の処理を終了する。
【０１０２】
ステップＳ７０１において、サーバ装置１１０は、利用者の端末装置１３０から送信される要求情報を受信してもよい。この場合、たとえば、第１の利用者の端末装置１３０から金融機関がインターネット上に開設した所定のＷＥＢサイトにアクセスし（表示画面５０１）、たとえば、出金を要求する入力などの操作がおこなわれることによって、利用者の端末装置１３０から要求情報がサーバ装置１１０に送信される。
【０１０３】
ステップＳ７０３において、サーバ装置１１０は、要求情報に含まれる出金の許可者に関する情報（たとえば、第２の利用者に関する情報）に関連付けて口座情報データベース３００に記憶された利用者のメールアドレスを含む連絡先情報を抽出して、当該メールアドレスに対して、他の利用者からの要求情報が来ていることを通知する情報を送信してもよい。
【０１０４】
図８のフローチャートにおいて、サーバの出金許可情報の記憶処理について説明する。図８のフローチャートにおいて、まず、サーバ装置１１０は、ＡＴＭ１２０から送信される第２の確認情報を受信したか否かを判断する（ステップＳ８０１）。サーバ装置１１０は、具体的には、第２のＡＴＭ１２０から、第２の利用者に関する情報、および、口座情報データベース３００において当該第２の利用者に関する情報に関連付けられた要求情報の確認を要求する情報を含む第２の確認情報を受信する。
【０１０５】
ステップＳ８０１において、サーバ装置１１０は、第２の確認情報の受信を待って（ステップＳ８０１：Ｎｏ）、第２の確認情報を受信した場合（ステップＳ８０１：Ｙｅｓ）、当該受信した利用者の口座番号および利用者（たとえば、第２の利用者）を特定して、
口座情報データベース３００を参照して、受信した第２の確認情報に含まれる利用者に関する情報（たとえば、第２の利用者に関する情報）に関連付けられた要求情報が含まれているか否かを判断する（ステップＳ８０２）。また、サーバ装置１１０は、要求情報に含まれる出金の許可者に関する情報に、第２の確認情報に含まれる利用者に関する情報（たとえば、第２の利用者に関する情報）が含まれているか否かを判断してもよい。
【０１０６】
ステップＳ８０２において、サーバ装置１１０は、口座情報データベース３００を参照して、受信した第２の確認情報に含まれる利用者に関する情報（たとえば、第２の利用者に関する情報）に関連付けられた要求情報が含まれていない場合（ステップＳ８０２：Ｎｏ）、以降の処理を終了し、受信した第２の確認情報に含まれる利用者に関する情報（たとえば、第２の利用者に関する情報）に関連付けられた要求情報が含まれている場合（ステップＳ８０２：Ｙｅｓ）、要求情報に含まれる出金の要求者に関する情報（たとえば、第１の利用者に関する情報）、金額に関する情報、出金の許可者に関する情報（たとえば、第２の利用者に関する情報）を抽出する（ステップＳ８０３）。
【０１０７】
サーバ装置１１０は、抽出した出金の要求者に関する情報（たとえば、第１の利用者に関する情報）、金額に関する情報、出金の許可者に関する情報（たとえば、第２の利用者に関する情報）を含む要求情報をＡＴＭ１２０（たとえば、第２のＡＴＭ１２０）に送信する（ステップＳ８０４）。
【０１０８】
つぎに、サーバ装置１１０は、ＡＴＭ１２０（たとえば、第２のＡＴＭ１２０）から送信される出金の許可者（たとえば、第２の利用者）からの、要求情報に基づく出金の要求に対する出金の許可または拒否を示す出金許可情報を含む応答結果に関する情報を受信したか否かを判断する（ステップＳ８０５）。応答結果に関する情報は、出金の要求者に関する情報（たとえば、第１の利用者に関する情報）、金額に関する情報、出金の許可者に関する情報（たとえば、第２の利用者に関する情報）を含んでいる。
【０１０９】
ステップＳ８０５において、サーバ装置１１０は、応答結果に関する情報の受信を待って（ステップＳ８０５：Ｎｏ）、応答結果に関する情報を受信した場合（ステップＳ８０５：Ｙｅｓ）、利用者の口座番号および利用者（たとえば、第２の利用者）を特定し、当該受信した応答結果に関する情報を利用者の口座番号に関連付けて口座情報データベース３００に記憶して（ステップＳ８０６）、一連の処理を終了する。
【０１１０】
ステップＳ８０５において、サーバ装置１１０は、利用者の端末装置１３０から送信される応答結果に関する情報を受信してもよい。この場合、たとえば、第２の利用者の端末装置１３０から金融機関がインターネット上に開設した所定のＷＥＢサイトにアクセスし（表示画面５０１）、たとえば、第１の利用者からの要求情報に対する出金を許可する入力などの操作がおこなわれることによって、利用者の端末装置１３０から応答結果に関する情報がサーバ装置１１０に送信される。
【０１１１】
ステップＳ８０６において、サーバ装置１１０は、応答結果に関する情報に含まれる出金の要求者に関する情報（たとえば、第１の利用者に関する情報）に関連付けて口座情報データベース３００に記憶された利用者のメールアドレスを含む連絡先情報を抽出して、当該メールアドレスに対して、他の利用者（出金の許可者）からの応答結果に関する情報が来ていることを通知する情報を送信してもよい。
【０１１２】
図９のフローチャートにおいて、サーバ装置の出金処理について説明する。図９のフローチャートにおいて、まず、サーバ装置１１０は、ＡＴＭ１２０から送信される第１の確認情報を受信したか否かを判断する（ステップＳ９０１）。サーバ装置１１０は、たとえば、第１のＡＴＭ１２０から送信される第１の利用者からの第１の確認情報を受信する。
【０１１３】
サーバ装置１１０は、第１の確認情報の受信を待って（ステップＳ９０１：Ｎｏ）、第１の確認情報を受信した場合（ステップＳ９０１：Ｙｅｓ）、利用者の口座番号に関連付けて口座情報データベース３００に記憶されている応答結果に関する情報に、出金許可情報が含まれているか否かを判断する（ステップＳ９０２）。具体的には、サーバ装置１１０は、口座情報データベース３００に記憶されている応答結果に関する情報に、出金を許可することを示す出金許可情報が含まれているか否かを判断する。ステップＳ９０２において、サーバ装置１１０は、口座情報データベース３００に記憶されている応答結果に関する情報に、出金許可情報が含まれていないと判断した場合（ステップＳ９０２：Ｎｏ）、以降の処理を終了する。
【０１１４】
ステップＳ９０２において、サーバ装置１１０は、口座情報データベース３００に記憶されている応答結果に関する情報に、出金許可情報が含まれていると判断した場合（ステップＳ９０２：Ｙｅｓ）、口座情報データベース３００に記憶されている応答結果に関する情報を抽出する（ステップＳ９０３）。具体的には、応答結果に関する情報に含まれる出金の要求者に関する情報（たとえば、第１の利用者に関する情報）、金額に関する情報、出金の許可者に関する情報（たとえば、第２の利用者に関する情報）および出金許可情報を抽出する。
【０１１５】
つぎに、サーバ装置１１０は、応答結果に関する情報に基づいて、抽出した応答結果に関する情報をＡＴＭ１２０（たとえば、第１のＡＴＭ１２０）に送信する（ステップＳ９０４）。サーバ装置１１０は、ＡＴＭ１２０から送信される出金情報を受信したか否かを判断する（ステップＳ９０５）。たとえば、第１のＡＴＭ１２０は、サーバ装置１１０から応答結果に関する情報を受信して、「出金する」キーを表示する。第１のＡＴＭ１２０は、第１の利用者により「出金する」キーが操作されることで、出金情報をサーバ装置１１０に送信する。
【０１１６】
ステップＳ９０５において、サーバ装置１１０は、出金情報の受信を待って（ステップＳ９０５：Ｎｏ）、出金情報を受信した場合（ステップＳ９０５：Ｙｅｓ）、出金指示情報をＡＴＭ１２０（たとえば、第１のＡＴＭ１２０）に送信して（ステップＳ９０６）、利用者の口座から出金指示情報に応じた金額を減額して、一連の処理を終了する。
【０１１７】
ステップＳ９０２において、サーバ装置１１０は、口座情報データベース３００に記憶されている応答結果に関する情報に、出金許可情報が含まれていると判断した場合（ステップＳ９０２：Ｙｅｓ）、応答結果に関する情報に基づいて、ステップＳ９０３において、口座情報データベース３００に記憶されている応答結果に関する情報に含まれる出金の要求者に関する情報（たとえば、第１の利用者に関する情報）、金額に関する情報、出金の許可者に関する情報（たとえば、第２の利用者に関する情報）を出金指示情報として抽出し、ステップＳ９０４およびステップＳ９０５を省略して、ステップＳ９０６において、出金指示情報をＡＴＭ１２０に送信してもよい。
【０１１８】
ステップＳ９０６において、サーバ装置１１０は、出金指示情報をＡＴＭ１２０（たとえば、第１のＡＴＭ１２０）に送信するとともに、出金の許可者に対して出金の報告を通知するための出金報告情報をＡＴＭ１２０（たとえば、第２のＡＴＭ１２０）に送信してもよい。また、ステップＳ９０６において、サーバ装置１１０は、出金指示情報に含まれる出金の許可者に関する情報（たとえば、第２の利用者に関する情報）に関連付けて口座情報データベース３００に記憶された利用者のメールアドレスを含む連絡先情報を抽出して、当該メールアドレスに対して、出金報告情報を送信してもよい。
【０１１９】
図１０のフローチャートにおいて、サーバ装置１１０の認証処理について説明する。図１０のフローチャートにおけるサーバ装置１１０の認証処理は、図７のフローチャートにおけるサーバ装置１１０の要求情報の記憶処理および図８のフローチャートにおけるサーバの出金許可情報の記憶処理の実行前におこなわれる。また、図１０のフローチャートにおけるサーバ装置１１０の認証処理は、図９のフローチャートにおけるサーバ装置の出金処理の実行前におこなわれてもよい。
【０１２０】
図１０のフローチャートにおいて、まず、サーバ装置１１０は、ＡＴＭ１２０から送信されるカード情報および認証に関する情報を含む認証要求情報を受信したか否かを判断する（ステップＳ１００１）。サーバ装置１１０は、たとえば、第１のＡＴＭ１２０から送信される第１の利用者からの第１のカード情報および第１の認証に関する情報を受信する。サーバ装置１１０は、たとえば、第２のＡＴＭ１２０から送信される第２の利用者からの第２のカード情報および第２の認証に関する情報を受信する。
【０１２１】
サーバ装置１１０は、認証要求情報の受信を待って（ステップＳ１００１：Ｎｏ）、認証要求情報を受信した場合（ステップＳ１００１：Ｙｅｓ）、受信した認証要求情報に含まれる認証に関する情報が、利用者の口座番号に関連付けて口座情報データベース３００に記憶されている認証に関する情報と一致するか否かを判断する（ステップＳ１００２）。ステップＳ１００２において、サーバ装置１１０は、口座情報データベース３００に記憶されている認証に関する情報と一致しないと判断した場合（ステップＳ１００２：Ｎｏ）、以降の処理を終了する。ステップＳ１００２において、サーバ装置１１０は、口座情報データベース３００に記憶されている認証に関する情報と一致すると判断した場合（ステップＳ１００２：Ｙｅｓ）、認証成功情報をＡＴＭ１２０に送信して（ステップＳ１００３）、一連の処理を終了する。
【０１２２】
ステップＳ１００２において、サーバ装置１１０は、口座情報データベース３００に記憶されている認証に関する情報と一致しないと判断した場合（ステップＳ１００２：Ｎｏ）、ＡＴＭ１２０に認証失敗情報を送信して、ステップＳ１００１に戻ってもよい。また、ステップＳ１００２において、たとえば、認証に関する情報が暗証番号である場合、第１および第２の利用者のカードの暗証番号が、口座情報データベース３００に記憶されている認証に関する情報としての暗証番号とそれぞれ一致するか否かを判断するだけでなく、さらに、口座情報データベース３００は、第１の利用者のカードの暗証番号および第２の利用者の暗証番号から生成された、第１の利用者のカードの暗証番号および第２の利用者のカードの暗証番号とは異なる第３の暗証番号（たとえば、第３の暗証番号ｆ＝（ａａ，ｂｂｂ）であり、関数は任意の複数パターンを用意）を記憶し、サーバ装置１１０は、ＡＴＭ１２０から送信された第１および第２のカードの暗証番号から第３の暗証番号が一致するか否かを判断してもよい。
【０１２３】
また、口座情報データベース３００は、第１の利用者のカードの暗証番号と第２の利用者のカードの暗証番号とは所定の組になっている認証に関する情報を記憶し、サーバ装置１１０は、第１のＡＴＭ１２０から送信される第１の利用者のカードの暗証番号と、第２のＡＴＭ１２０から送信される第１の利用者のカードの暗証番号と所定の組になっている第２の利用者のカードの暗証番号とが、それぞれ一致するか否かを判断してもよい。
【０１２４】
（ＡＴＭ１２０の処理手順）
つぎに、この発明にかかる実施の形態１の現金出納システム１００が備えるＡＴＭ１２０の処理手順について説明する。図１１は、この発明にかかる実施の形態１の現金出納システム１００が備えるＡＴＭ１２０の処理手順を示すフローチャートである。図１１のフローチャートにおいて、まず、ＡＴＭ１２０は、利用者の識別情報としてカード情報を取得したか否かを判断する（ステップＳ１１０１）。たとえば、第１のＡＴＭ１２０は、第１のカード情報を取得し、第２のＡＴＭ１２０は、第２のカード情報を取得する。
【０１２５】
ＡＴＭ１２０は、カード情報の取得を待って（ステップＳ１１０１：Ｎｏ）、カード情報を取得した場合（ステップＳ１１０１：Ｙｅｓ）、認証に関する情報を取得したか否かを判断する（ステップＳ１１０２）。ＡＴＭ１２０は、認証に関する情報の取得を待って（ステップＳ１１０２：Ｎｏ）、認証に関する情報を受信した場合（ステップＳ１１０２：Ｙｅｓ）、カード情報および認証に関する情報を含む認証要求情報をサーバ装置１１０に送信する（ステップＳ１１０３）。
【０１２６】
つぎに、ＡＴＭ１２０は、認証成功情報を受信したか否かを判断する（ステップＳ１１０４）。ステップＳ１１０４において、ＡＴＭ１２０は、所定期間内に認証成功情報を受信しない場合または認証失敗情報を受信した場合（ステップＳ１１０４：Ｎｏ）、以降の処理を終了する。ステップＳ１１０４において、ＡＴＭ１２０は、認証成功情報を受信した場合（ステップＳ１１０４：Ｙｅｓ）、メニュー画面（表示画面４０１）を表示して（ステップＳ１１０５）、一連の処理を終了する。ステップＳ１１０４において、ＡＴＭ１２０は、所定期間内に認証成功情報を受信しない場合または認証失敗情報を受信した場合（ステップＳ１１０４：Ｎｏ）、ステップＳ１１０２に戻ってもよい。
【０１２７】
以上説明したように、この発明にかかる実施の形態１の現金出納システム１００に含まれるサーバ装置１１０は、複数の利用者が共有する口座ごとに、当該口座の利用者の認証に用いる複数のカードのカード情報を関連付けて記憶する口座情報データベース３００と、第１のＡＴＭ１２０から、複数のカードのうちの第１のカードを所有する第１の利用者に関する情報、複数のカードのうち第１のカードとは異なる第２のカードを所有する第２の利用者に関する情報および金額に関する情報を含む、出金の要求を示す要求情報を受信する要求情報受信部６２１と、要求情報受信部６２１が受信した要求情報を口座に関連付けて口座情報データベース３００に記憶するデータベース更新部６２４と、第２のＡＴＭ１２０から、要求情報に基づく出金の要求に対する出金の許可または拒否を示す出金許可情報を含む応答結果に関する情報を受信する応答情報受信部６２８と、を備え、データベース更新部６２４が、応答情報受信部６２８が受信した応答結果に関する情報を口座に関連付けて口座情報データベース３００に記憶することを特徴としている。
【０１２８】
また、この発明にかかる実施の形態１の現金出納システム１００に含まれるサーバ装置１１０は、さらに、第１のＡＴＭ１２０から、要求情報受信部６２１が受信した要求情報に対する応答結果の確認を要求する第１の確認情報を受信する確認情報受信部６２５と、確認情報受信部６２５が第１の確認情報を受信した場合、口座に関連付けて口座情報データベース３００に記憶されている応答結果に関する情報に、出金許可情報が含まれているか否かを判断する応答情報判断部６２９と、応答情報判断部６２９が出金許可情報が含まれていると判断した場合、応答結果に関する情報に基づいて、出金指示情報を第１のＡＴＭ１２０に送信する指示情報送信部６３１と、を備えたことを特徴としている。
【０１２９】
この発明にかかる実施の形態１の現金出納システム１００に含まれるサーバ装置１１０によれば、第１のカードを所有する第１の利用者が出金をするためには、第２のカードを所有する第２の利用者の出金の許可が必要となり、出金することを許可されていない第１のカードの出金を制限することができるので、複数人が共同して利用する預貯金口座における出金を一元管理することができる。
【０１３０】
また、この発明にかかる実施の形態１の現金出納システム１００に含まれるサーバ装置１１０によれば、いわゆる「振り込め詐欺」や「母さん助けて詐欺」などのための振り込みまたは現金の引き出しを抑制することができる。法人や厚生年金基金などの口座から、出金することを許可されていないカードの出金を防ぐことができ、経理担当者などの横領や着服を防ぐことができる。
【０１３１】
また、この発明にかかる実施の形態１の現金出納システム１００に含まれるサーバ装置１１０によれば、２枚のうちの１枚を紛失したとしても、紛失したカード単独で出金することができず、カードの紛失したときの悪用を防止することができるので、セキュリティ性を向上させることができる。第２のカードで設定された金額に限り、第１の利用者が第１のカードで出金することができるので、第２の利用者は、第１の利用者のカードの出金額を管理することができる。
【０１３２】
また、この発明にかかる実施の形態１の現金出納システム１００に含まれるサーバ装置１１０は、確認情報受信部６２５が、第２のＡＴＭ１２０から、第２のカードに関する情報、および、口座情報データベース３００において当該第２のカードに関する情報に関連付けられた要求情報の確認を要求する情報を含む第２の確認情報を受信し、確認情報受信部６２５が第２の確認情報を受信した場合、口座情報データベース３００を参照して、受信した第２の確認情報に含まれる第２のカードに関する情報に関連付けられた要求情報が含まれているか否かを判断する要求情報判断部６２６と、要求情報判断部６２６が第２のカードに関する情報に関連付けられた要求情報が含まれていると判断した場合、当該要求情報を第２のＡＴＭ１２０に送信する要求情報送信部６２７と、を備えたことを特徴としている。
【０１３３】
この発明にかかる実施の形態１の現金出納システム１００に含まれるサーバ装置１１０によれば、たとえば、第２の利用者は、第２のＡＴＭ１２０の表示画面の「要求を確認する」キーを操作することで、第１の利用者からの出金の要求が来ていることを知ることができる。
【０１３４】
また、この発明にかかる実施の形態１の現金出納システム１００に含まれるサーバ装置１１０は、応答情報受信部６２８が、要求情報に含まれる金額に関する情報に対する金額変更に関する情報を受信し、データベース更新部６２４が、金額変更に関する情報を応答結果に関する情報に関連付けて口座情報データベース３００に記憶し、指示情報送信部６３１が、応答情報判断部６２９が出金許可情報が含まれていると判断した場合、応答結果に関する情報に基づいて、金額変更に関する情報に応じた出金指示情報を第１のＡＴＭ１２０に送信することを特徴としている。
【０１３５】
この発明にかかる実施の形態１の現金出納システム１００に含まれるサーバ装置１１０によれば、第２の利用者は、第１の利用者からの要求金額が高い場合に、第１の利用者が出金する金額を要求金額よりも減額した金額にすることができる。また、第２の利用者は、第１の利用者からの要求金額が低い場合に、第１の利用者が出金する金額を要求金額よりも増額した金額にすることができる。
【０１３６】
また、この発明にかかる実施の形態１の現金出納システム１００に含まれるサーバ装置１１０は、応答情報受信部６２８が、応答結果の有効期間に関する情報を受信し、データベース更新部６２４が、応答結果の有効期間に関する情報を応答結果に関する情報に関連付けて口座情報データベース３００に記憶し、口座情報データベース３００に記憶されている応答結果の有効期間に関する情報に基づいて、確認情報受信部６２５が応答結果の有効期間内に第１の確認情報を受信したか否かを判断する有効期間判断部６３２を備え、指示情報送信部６３１が、有効期間判断部６３２が応答結果の有効期間内に第１の確認情報を受信したと判断し、かつ応答情報判断部６２９が出金許可情報が含まれていると判断した場合、前記応答結果に関する情報に基づいて、出金指示情報を第１のＡＴＭ１２０に送信することを特徴としている。
【０１３７】
この発明にかかる実施の形態１の現金出納システム１００に含まれるサーバ装置１１０によれば、出金許可の有効期間を設けることで、有効期間を過ぎた場合に、第１の利用者の第１のカードの出金を認めないことで、有効期間内での出金を促し、計画的にカードの出金を管理することができる。
【０１３８】
また、この発明にかかる実施の形態１の現金出納システム１００に含まれるサーバ装置１１０は、指示情報送信部６３１が、要求情報受信部６２１が要求情報を受信した場合、要求情報受信部６２１が受信した要求情報に対応する応答結果の受信待ちに関する情報を第１のＡＴＭ１２０に送信することを特徴としている。
【０１３９】
この発明にかかる実施の形態１の現金出納システム１００に含まれるサーバ装置１１０によれば、第１の利用者が出金の要求を選択したときに、第１のＡＴＭ１２０の表示画面に、第２の利用者の出金の許可待ちであることを表示することで、第１の利用者は、日時を改めて銀行に来店すべきであることを知ることができる。
【０１４０】
また、この発明にかかる実施の形態１の現金出納システム１００に含まれるサーバ装置１１０は、第１のＡＴＭ１２０および第２のＡＴＭ１２０が、同一店舗に設置されていることを特徴としている。
【０１４１】
この発明にかかる実施の形態１の現金出納システム１００に含まれるサーバ装置１１０によれば、第１の利用者および第２の利用者が同一店舗に来店して出金および出金の許可をおこなうことができるので、第２の利用者は、第１の利用者の第１のカードからの出金を目視にてチェックすることができる。
【０１４２】
また、この発明にかかる実施の形態１の現金出納システム１００に含まれるサーバ装置１１０は、第１のＡＴＭ１２０および第２のＡＴＭ１２０が、それぞれ異なる店舗に設置されていることを特徴としている。
【０１４３】
この発明にかかる実施の形態１の現金出納システム１００に含まれるサーバ装置１１０によれば、第１の利用者および第２の利用者が異なる店舗に来店して出金および出金の許可をおこなうことができるので、第１の利用者および第２の利用者は、個々の都合に合わせて店舗に出向くことができる。
【０１４４】
（実施の形態２）
以下に添付図面を参照して、この発明にかかるサーバ装置を含む現金出納システムの好適な実施の形態２を詳細に説明する。この発明にかかるサーバ装置を含む現金出納システムの好適な実施の形態２は、実施の形態１の現金出納システムのシステム構成、ハードウエア構成および現金出納システム１００の機能的構成と同一であるので、その説明を省略する。
【０１４５】
（サーバ装置１１０の処理手順）
つぎに、この発明にかかる実施の形態２の現金出納システム１００が備えるサーバ装置１１０の処理手順について説明する。図１２は、この発明にかかる実施の形態２の現金出納システム１００が備えるサーバ装置１１０の処理手順を示すフローチャートである。
【０１４６】
図１２のフローチャートにおいて、サーバ装置１１０の出金処理について説明する。図１２において、まず、サーバ装置１１０は、ＡＴＭ１２０（たとえば、第２のＡＴＭ１２０）から送信される出金の許可者（たとえば、第２の利用者）からの、出金の被許可者に関する情報（たとえば、第１の利用者に関する情報）および金額に関する情報を含む、出金を許可する出金許可情報を受信したか否かを判断する（ステップＳ１２０１）。たとえば、第２のＡＴＭ１２０において、表示画面４０１から「事前に出金を許可する」キーが操作されて、出金の被許可者に関する情報、出金の許可者に関する情報および金額に関する情報が入力された後に、出金許可情報が第２のＡＴＭ１２０からサーバ装置１１０に送信される。
【０１４７】
ステップＳ１２０１において、サーバ装置１１０は、出金許可情報の受信を待って（ステップＳ１２０１：Ｎｏ）、出金許可情報を受信した場合（ステップＳ１２０１：Ｙｅｓ）、利用者の口座番号および利用者を特定して、出金許可情報を利用者の口座番号に関連付けて口座情報データベース３００に記憶する（ステップＳ１２０２）。
【０１４８】
つぎに、サーバ装置１１０は、ＡＴＭ１２０から送信される確認情報を受信したか否かを判断する（ステップＳ１２０３）。サーバ装置１１０は、たとえば、第１のＡＴＭ１２０から送信される第１の利用者からの確認情報を受信する。この場合、確認情報は出金許可情報の確認を要求する情報を含む。サーバ装置１１０は、確認情報の受信を待って（ステップＳ１２０３：Ｎｏ）、確認情報を受信した場合（ステップＳ１２０３：Ｙｅｓ）、サーバ装置１１０は、サーバ装置１１０は、利用者の口座に関連付けて記憶されている口座情報データベース３００に出金許可情報が含まれているか否かを判断する（ステップＳ１２０４）。
【０１４９】
ステップＳ１２０４において、サーバ装置１１０は、口座情報データベース３００に出金許可情報が含まれていないと判断した場合（ステップＳ１２０４：Ｎｏ）、以降の処理を終了する。ステップＳ１２０４において、サーバ装置１１０は、口座情報データベース３００に出金許可情報が含まれていると判断した場合（ステップＳ１２０４：Ｙｅｓ）、口座情報データベース３００に記憶されている出金許可情報に含まれる出金の被許可者に関する情報（たとえば、第１の利用者に関する情報）、金額に関する情報、出金の許可者に関する情報（たとえば、第２の利用者に関する情報）を抽出する（ステップＳ１２０５）。
【０１５０】
つぎに、サーバ装置１１０は、出金許可情報をＡＴＭ１２０（たとえば、第１のＡＴＭ１２０）に送信する（ステップＳ１２０６）。サーバ装置１１０は、ＡＴＭ１２０から送信される出金許可情報に基づく出金の許可に対する要求情報（出金情報）を受信したか否かを判断する（ステップＳ１２０７）。たとえば、第１のＡＴＭ１２０は、サーバ装置１１０から出金許可情報を受信して、出金の被許可者に関する情報、金額に関する情報、出金の許可者に関する情報、および「出金する」キーを表示する。第１の利用者により「出金する」キーが操作されることで、要求情報をサーバ装置１１０に送信する。
【０１５１】
ステップＳ１２０７において、サーバ装置１１０は、要求情報の受信を待って（ステップＳ１２０７：Ｎｏ）、要求情報を受信した場合（ステップＳ１２０７：Ｙｅｓ）、出金指示情報をＡＴＭ１２０（たとえば、第１のＡＴＭ１２０）に送信して（ステップＳ１２０８）、一連の処理を終了する。
【０１５２】
ステップＳ１２０１において、サーバ装置１１０は、利用者の端末装置１３０から送信される出金許可情報を受信してもよい。この場合、たとえば、第２の利用者の端末装置１３０から金融機関がインターネット上に開設した所定のＷＥＢサイトにアクセスし（表示画面５０１）、たとえば、「事前に出金を許可する」キーなどの操作がおこなわれることによって、利用者の端末装置１３０から出金許可情報がサーバ装置１１０に送信される。
【０１５３】
ステップＳ１２０２おいて、サーバ装置１１０は、出金許可情報を利用者の口座番号に関連付けて口座情報データベース３００に記憶した場合、出金許可情報に含まれる出金の被許可者に関する情報（たとえば、第１の利用者に関する情報）に関連付けて記憶された利用者のメールアドレスを含む連絡先情報を抽出して、当該メールアドレスに対して、他の利用者からの出金許可情報が来ていることを通知する情報を送信してもよい。
【０１５４】
ステップＳ１２０４において、サーバ装置１１０は、口座情報データベース３００に出金許可情報が含まれていると判断した場合（ステップＳ１２０４：Ｙｅｓ）、ステップＳ１２０５において、口座情報データベース３００に記憶されている出金の被許可者に関する情報（たとえば、第１の利用者に関する情報）、金額に関する情報、出金の許可者に関する情報（たとえば、第２の利用者に関する情報）を含む出金許可情報を出金指示情報として抽出して、ステップＳ１２０６およびステップＳ１２０７を省略して、ステップＳ１２０８において、出金指示情報をＡＴＭ１２０に送信してもよい。
【０１５５】
また、ステップＳ１２０４において、サーバ装置１１０は、利用者の口座に関連付けて記憶されている口座情報データベース３００に含まれる出金許可情報に、当該ＡＴＭ１２０から送信された確認情報に含まれる利用者に関する情報（第１の利用者に関する情報）が含まれているか否かを判断してもよい。
【０１５６】
ステップＳ１２０１において、サーバ装置１１０は、ＡＴＭ１２０または利用者の端末装置１３０から送信される出金許可の有効期間に関する情報を受信してもよい。出金許可の有効期間に関する情報を受信した場合に、ステップＳ１２０２において、サーバ装置１１０は、出金許可の有効期間に関する情報を出金許可情報に関連付けて口座情報データベース３００に記憶する。ステップＳ１２０３において、サーバ装置１１０は、確認情報を出金許可の有効期間を満了する所定期間前までに受信したか否かを判断してもよい。サーバ装置１１０は、確認情報を出金許可の有効期間を満了する所定期間前までに受信していないと判断した場合、所定期間内に出金許可情報の有効期間を満了することを通知する情報をＡＴＭ１２０または利用者の端末装置１３０に送信してもよい。利用者の端末装置１３０に当該通知する情報を送信する場合、具体的には、サーバ装置１１０は、出金許可情報に含まれる出金の被許可者に関する情報（たとえば、第１の利用者に関する情報）に関連付けて記憶された利用者のメールアドレスを含む連絡先情報を抽出して、当該メールアドレスに対して、当該通知する情報を送信する。
【０１５７】
ステップＳ１２０７において、サーバ装置１１０は、要求情報を出金許可の有効期間を満了する所定期間前までに受信したか否かを判断してもよい。サーバ装置１１０は、要求情報を出金許可の有効期間を満了する所定期間前までに受信していないと判断した場合、所定期間内に出金許可情報の有効期間を満了することを通知する情報をＡＴＭ１２０または利用者の端末装置１３０に送信してもよい。
【０１５８】
以上説明したように、この発明にかかる実施の形態２の現金出納システム１００に含まれるサーバ装置は、複数の利用者が共有する口座ごとに、当該口座の利用者の認証に用いる複数のカードのカード情報を関連付けて記憶する口座情報データベース３００と、第２のＡＴＭ１２０から、複数のカードのうちの第２のカードに関する情報、複数のカードのうち第２のカードとは異なる第１のカードに関する情報および金額に関する情報を含む、出金の許可を示す出金許可情報を受信する応答情報受信部６２８と、応答情報受信部６２８が出金許可情報を受信した場合、出金許可情報を口座に関連付けて口座情報データベース３００に記憶するデータベース更新部６２４と、第１のＡＴＭ１２０から、応答情報受信部６２８が受信した出金許可情報の確認を要求する情報を含む確認情報を受信する確認情報受信部６２５と、確認情報受信部６２５が確認情報を受信した場合、口座に関連付けて記憶された口座情報データベース３００に出金許可情報が含まれているか否かを判断する応答情報判断部６２９と、応答情報判断部６２９が口座情報データベース３００に出金許可情報が含まれていると判断した場合、出金許可情報を第１のＡＴＭ１２０に送信する応答情報送信部６３０と、第１のＡＴＭ１２０から、出金許可情報に基づく出金の許可に対する要求情報を受信する要求情報受信部６２１と、要求情報受信部６２１が要求情報を受信した場合、出金が許可された金額の現金を第１のＡＴＭ１２０から出金させる出金指示情報を第１のＡＴＭ１２０に送信する指示情報送信部６３１と、を備えたことを特徴としている。
【０１５９】
この発明にかかる実施の形態２の現金出納システム１００に含まれるサーバ装置１１０によれば、第２の利用者があらかじめ第１の利用者に対して出金の許可をおこなうことで、第１の利用者は、事前に出金の要求をおこなうことなく、その場で第１のカードを使って出金をおこなうことができる。
【０１６０】
以上において、第１の利用者が出金を要求し、第２の利用者が出金の要求に対する許可をすることを前提に説明したが、これには限定されず、第２の利用者が出金を要求し、第１の利用者が出金の要求に対する許可をしてもよい。第１の利用者および第２の利用者は、それぞれ１人ずつではなく複数人いてもよい。すなわち、カードは２枚だけでなく、３枚以上あってもよい。金融機関のＡＴＭ１２０からの現金の引き出しを前提に説明したが、これには限定されず、たとえば、金融機関の預貯金口座からの振り込み、振替などの資金が移動する際に適用してもよく、デビットカードを使用して物品を購入する際に適用してもよい。２枚のカード情報に関連付けて記憶された利用者の口座番号から現金を引き落とすことを前提に説明したが、たとえば、口座情報データベース３００は、利用者の口座番号に関連付けて別の口座番号を記憶し、当該利用者の口座番号の預貯金残高が所定の金額よりも少ない場合、あるいは応答結果に関する情報（または要求情報）に含まれる金額に関する情報よりも当該利用者の口座番号の預貯金残高が少ない場合、当該利用者の口座番号に関連付けて記憶された別の口座番号からの現金の引き出しをおこなってもよい。この場合、別の口座番号から現金の引き出しをおこなうために、要求情報を生成して、別の口座番号に対応するカード情報を取得している出金の要求をおこなっても、おこなわなくてもよい。別の口座は、当該利用者の口座と同一の金融機関であってもよく、当該利用者の口座とは異なる金融機関であってもよい。
【産業上の利用可能性】
【０１６１】
以上のように、この発明にかかるサーバ装置は、複数人が共同して利用する預貯金口座における出金を一元管理するサーバ装置に有用である。
【符号の説明】
【０１６２】
１００  現金出納システム
１１０  サーバ装置
１２０  ＡＴＭ
１３０  端末装置
６０１  識別情報取得部
６０２  要求情報受付部
６０３  端末側要求情報送信部
６０４  確認情報受付部
６０５  端末側確認情報送信部
６０６  端末側要求情報受信部
６０７  応答情報受付部
６０８  端末側応答情報送信部
６０９  端末側応答情報受信部
６１０  指示情報受信部
６１１  指示実行部
６２０  データベース格納部
６２１  要求情報受信部
６２２  利用者特定部
６２３  記憶部
６２４  データベース更新部
６２５  確認情報受信部
６２６  要求情報判断部
６２７  要求情報送信部
６２８  応答情報受信部
６２９  応答情報判断部
６３０  応答情報送信部
６３１  指示情報送信部
６３２  有効期間判断部
６３３  出金実行部
【図１】
2015162131.tif 000003
【図２−１】
2015162131.tif 000004
【図２−２】
2015162131.tif 000005
【図２−３】
2015162131.tif 000006
【図３−１】
2015162131.tif 000007
【図３−２】
2015162131.tif 000008
【図４−１】
2015162131.tif 000009
【図４−２】
2015162131.tif 000010
【図４−３】
2015162131.tif 000011
【図５−１】
2015162131.tif 000012
【図５−２】
2015162131.tif 000013
【図６】
2015162131.tif 000014
【図７】
2015162131.tif 000015
【図８】
2015162131.tif 000016
【図９】
2015162131.tif 000017
【図１０】
2015162131.tif 000018
【図１１】
2015162131.tif 000019
【図１２】
2015162131.tif 000020